(57)【要約】被冷却機器（９０）を冷却するための冷却装置であって、前記被冷却機器（９０）を少なくとも部分的に浸すための冷媒（８０）を含むように構成されたキャビネット本体（１０）と、前記キャビネット本体（１０）内の前記冷媒（８０）の分量を検出するための第１の分量計（１１０）と、前記冷媒（８０）を貯蔵する貯蔵タンク（２１０）を備えた補充機器（２０）とを備え、前記貯蔵タンク（２１０）および前記キャビネット本体（１０）は互いに連通可能に接続され、前記第１の分量計（１１０）が前記キャビネット本体（１０）内の前記冷媒（８０）の前記分量が第１の事前設定分量よりも少ないことを検出すると、前記貯蔵タンク（２１０）と前記キャビネット本体（１０）は相互連通し、その結果、前記貯蔵タンク（２１０）内の前記冷媒（８０）を前記キャビネット本体（１０）へ移動させる。
2021501950.tif 000002
【特許請求の範囲】
【請求項１】
被冷却機器を冷却するための冷却装置であって、
前記被冷却機器を少なくとも部分的に浸すための冷媒を含むように構成されたキャビネット本体と、
前記キャビネット本体内の前記冷媒の分量を検出するための第１の分量計と、
前記冷媒を貯蔵する貯蔵タンクを備えた補充機器であって、前記貯蔵タンクおよび前記キャビネット本体が互いに連通可能に接続されている、補充機器と、
を備え、
前記第１の分量計が前記キャビネット本体内の前記冷媒の分量が第１の事前設定分量よりも少ないことを検出すると、前記貯蔵タンクと前記キャビネット本体は相互連通し、その結果、前記貯蔵タンク内の前記冷媒を前記キャビネット本体内へ移動する、冷却装置。
【請求項２】
通信接続状態にある第２の分量計および警報機器をさらに備え、前記第２の分量計は前記貯蔵タンク内の前記冷媒の前記分量を検出するように構成され、
前記第２の分量計が前記貯蔵タンク内の前記冷媒の前記分量が第２の事前設定分量よりも少ないことを検出すると、前記警報機器は警報を発する、請求項１に記載の冷却装置。
【請求項３】
前記冷媒を駆動して前記貯蔵タンクと前記キャビネット本体の間を移動させる駆動機器をさらに備えた、請求項１に記載の冷却装置。
【請求項４】
前記第１の分量計が前記キャビネット本体内の前記冷媒の前記分量が前記第１の事前設定分量よりも少ないことを検出すると、前記貯蔵タンクと前記キャビネット本体は相互連通し、前記駆動機器は前記貯蔵タンク内の前記冷媒を駆動し前記キャビネット本体内へ移動させ、
前記第１の分量計が前記キャビネット本体内の前記冷媒の前記分量が第３の事前設定分量に達したのを検出すると、前記貯蔵タンクと前記キャビネット本体は互いに対して閉じられ、前記駆動機器は停止し、前記第３の事前設定分量は前記第１の事前設定分量よりも多い、
請求項３に記載の冷却装置。
【請求項５】
前記第１の分量計が前記キャビネット本体内の前記冷媒の前記分量が第３の事前設定分量を超過したのを検出すると、前記貯蔵タンクと前記キャビネット本体は相互連通し、前記駆動機器は前記キャビネット本体内の前記冷媒を駆動して前記貯蔵タンク内に移動させ、
前記第１の分量計が前記キャビネット本体内の前記冷媒の前記分量が前記第３の事前設定分量まで復元したのを検出すると、前記貯蔵タンクと前記キャビネット本体は互いに対して閉じられ、前記駆動機器は停止し、前記第３の事前設定分量が前記第１の事前設定分量よりも多い、
請求項３に記載の冷却装置。
【請求項６】
第１のバルブおよび制御システムをさらに備え、前記第１のバルブは前記貯蔵タンクと前記キャビネット本体の相互連通と相互閉鎖を切り替えるように構成され、前記制御システムは前記第１の分量計および前記第１のバルブの両方と通信接続状態にあり、
前記第１の分量計が前記キャビネット本体内の前記冷媒の前記分量が前記第１の事前設定分量よりも少ないことを検出すると、前記制御システムは前記第１のバルブを制御して開き、その結果、前記貯蔵タンクと前記キャビネット本体は相互連通し、前記第１の分量計が前記キャビネット本体内の前記冷媒の前記分量が前記第１の事前設定分量に達したのを検出すると、前記制御システムは前記第１のバルブを制御して閉じ、その結果、前記貯蔵タンクと前記キャビネット本体は互いに対して閉じる、請求項１に記載の冷却装置。
【請求項７】
前記キャビネット本体は前記冷媒を導くための第１の分流開口部が設けられ、前記貯蔵タンクは前記第１の分流開口部と連通する第２の分流開口部が設けられ、前記第１のバルブは前記第１の分流開口部と前記第２の分流開口部の間に配置され、または前記第２の分流開口部に対応する位置で前記貯蔵タンク内に配置される、請求項６に記載の冷却装置。
【請求項８】
前記貯蔵タンクは前記キャビネット本体の上方に配置され、前記第２の分流開口部は前記第１の分流開口部の上方に設置される、請求項７に記載の冷却装置。
【請求項９】
熱交換機器をさらに備え、前記熱交換機器の一端部は前記キャビネット本体と連通して設けられ、前記熱交換機器の他端部は外部液体供給装置と連通して設けられ、前記熱交換機器は前記冷媒を駆動して前記キャビネット本体内を循環させ、前記冷媒により熱交換をするように構成されている、請求項１に記載の冷却装置。
【請求項１０】
被冷却機器を冷却するための冷却装置であって、
前記被冷却機器を少なくとも部分的に浸すための冷媒を含むように構成されたキャビネット本体であって、前記キャビネット本体は前記冷媒を導入するための第１の分流開口部および前記冷媒を排出するための第３の分流開口部が設けられた、キャビネット本体と、
濾過機器であって、前記第１の分流開口部と連通する第４の分流開口部および前記第３の分流開口部と連通する第５の分流開口部が設けられた、濾過機器と、
を備え、
前記濾過機器は前記キャビネット本体内の前記冷媒を駆動して濾過するために前記濾過機器を通して流すように構成されている、冷却装置。
【請求項１１】
前記濾過機器はフィルターおよび前記フィルターと連通して設けられた駆動ポンプを備え、前記駆動ポンプは前記キャビネット本体内の前記冷媒を駆動して濾過するために前記フィルターを通して流すように構成され、前記フィルターおよび前記駆動ポンプの一方には前記第４の分流開口部が設けられ、前記フィルターおよび前記駆動ポンプの他方には前記第５の分流開口部が設けられている、請求項１０に記載の冷却装置。
【請求項１２】
第１の検出システムおよび第２のバルブをさらに備え、前記第１の検出システムは前記キャビネット本体内の前記冷媒の純度を検出するように構成され、前記第２のバルブは前記第１の分流開口部と前記第４の分流開口部の間、または前記第３の分流開口部と前記第５の分流開口部の間に配置されており、
前記第１の検出システムが前記キャビネット本体内の前記冷媒の純度が設定値よりも低いことを検出すると、前記第２のバルブは開き、前記駆動ポンプは前記キャビネット本体内の前記冷媒を駆動して、濾過するために前記フィルターを通して流す、請求項１１に記載の冷却装置。
【請求項１３】
前記駆動ポンプと連通して設けられた貯蔵機器をさらに備え、前記駆動ポンプは前記キャビネット本体内の前記冷媒を駆動して前記貯蔵機器内へ移動させるようにさらに構成されている、請求項１１に記載の冷却装置。
【請求項１４】
前記貯蔵機器と前記駆動ポンプの間に設けられた第３のバルブをさらに備え、前記第３のバルブが開くと、前記駆動ポンプは前記キャビネット本体内の前記冷媒を駆動して前記貯蔵機器内へ移動させる、請求項１３に記載の冷却装置。
【請求項１５】
前記キャビネット本体の上部に配置されたカバー、前記濾過機器と通信接続状態にある制御システム、および前記制御システムと通信接続状態にある第２の検出システムをさらに備え、前記第２の検出システムは前記カバーが開いているか閉じているかを検出するように構成され、前記カバーが閉状態であることを検出すると、前記第２の検出システムは、前記制御システムへ第１の検出信号を送信し、前記制御システムは前記濾過機器を制御して停止させ、前記カバーが開状態であることを検出すると、前記第２の検出システムは前記制御システムへ第２の検出信号を送信し、前記制御システムは前記濾過機器を制御して稼働させる、請求項１０に記載の冷却装置。
【請求項１６】
熱交換機器をさらに備え、前記熱交換機器の一端部は前記キャビネット本体と連通して設けられ、前記熱交換機器の他端部は外部液体供給装置と連通して設けられ、前記熱交換機器は前記冷媒を駆動して前記キャビネット本体内を循環させ、前記冷媒により熱交換をするように構成されている、請求項１０に記載の冷却装置。
【請求項１７】
被冷却機器を冷却するための冷却装置であって、
前記被冷却機器を少なくとも部分的に浸すための冷媒を含むように構成されたキャビネット本体であって、前記冷媒を導入するための第１の分流開口部および前記冷媒を排出するための第３の分流開口部が設けられた、キャビネット本体と、
前記キャビネット本体内の前記冷媒の分量を検出するための第１の分量計と、
前記冷媒を貯蔵する貯蔵タンクを備えた補充機器であって、前記貯蔵タンクおよび前記キャビネット本体は互いに連通可能に接続されている、補充機器と、
濾過機器であって、前記第１の分流開口部と連通する第４の分流開口部および前記第３の分流開口部と連通する第５の分流開口部が設けられ、前記キャビネット本体内の前記冷媒を駆動して、濾過するために前記濾過機器を通して流すように構成された、濾過機器と、
を備え、
前記第１の分量計が前記キャビネット本体内の前記冷媒の分量が第３の事前設定分量を超過したのを検出すると、前記貯蔵タンクと前記キャビネット本体は相互連通し、前記濾過機器は前記キャビネット本体内の前記冷媒を駆動し前記貯蔵タンク内へ移動する、冷却装置。
【請求項１８】
通信接続状態にある第２の分量計および警報機器をさらに備え、前記第２の分量計は前記貯蔵タンク内に設計され前記貯蔵タンク内の前記冷媒の前記分量を検出するように構成されており、
前記第２の分量計が前記貯蔵タンク内の前記冷媒の前記分量が第２の事前設定分量よりも少ないことを検出すると、前記警報機器は警報を発する、請求項１７に記載の冷却装置。
【請求項１９】
前記濾過機器はフィルターおよび前記フィルターと連通して設けられた駆動ポンプを備え、前記駆動ポンプは前記キャビネット本体内の前記冷媒を駆動して濾過するために前記フィルターを通して流すように構成されており、前記フィルターおよび前記駆動ポンプの一方には前記第４の分流開口部が設けられ、前記フィルターおよび前記駆動ポンプの他方には前記第５の分流開口部が設けられている、請求項１７に記載の冷却装置。
【請求項２０】
第１の検出システムおよび第２のバルブをさらに備え、前記第１の検出システムは前記キャビネット本体内の前記冷媒の純度を検出するように構成され、前記第２のバルブは前記第１の分流開口部と前記第４の分流開口部の間、または前記第３の分流開口部と前記第５の分流開口部の間に配置されており、
前記第１の検出システムが前記キャビネット本体内の前記冷媒の純度が設定値よりも低いことを検出すると、前記第２のバルブは開き、前記駆動ポンプは前記キャビネット本体内の前記冷媒を駆動して濾過するために前記フィルターを通して流す、請求項１９に記載の冷却装置。
【請求項２１】
前記濾過機器は前記冷媒を駆動して前記貯蔵タンクと前記キャビネット本体の間で移動させる駆動ポンプを備え、
前記第１の分量計が前記キャビネット本体内の前記冷媒の前記分量が前記第３の事前設定分量を超過したのを検出すると、前記貯蔵タンクと前記キャビネット本体は相互連通し、前記駆動ポンプは前記キャビネット本体内の前記冷媒を駆動し前記貯蔵タンク内へ移動させ、
前記第１の分量計が前記キャビネット本体内の前記冷媒の前記分量が前記第３の事前設定分量に復元したのを検出すると、前記貯蔵タンクと前記キャビネット本体は互いに対して閉じ、前記駆動ポンプは停止する、
請求項１７に記載の冷却装置。
【請求項２２】
前記第１の分量計が前記キャビネット本体内の前記冷媒の前記分量が第１の事前設定分量よりも少ないことを検出すると、前記貯蔵タンクと前記キャビネット本体は相互連通し、前記濾過機器は前記貯蔵タンク内の前記冷媒を駆動し前記キャビネット本体内へ移動させる、請求項１７に記載の冷却装置。
【請求項２３】
前記濾過機器は前記冷媒を駆動して前記貯蔵タンクと前記キャビネット本体の間で移動させる駆動ポンプを備え、
前記第１の分量計が前記キャビネット本体内の前記冷媒の前記分量が前記第１の事前設定分量よりも少ないことを検出すると、前記貯蔵タンクと前記キャビネット本体は相互連通し、前記駆動ポンプは前記貯蔵タンク内の前記冷媒を駆動して前記キャビネット本体内へ移動させ、
前記第１の分量計が前記キャビネット本体内の前記冷媒の前記分量が前記第３の事前設定分量に達したのを検出すると、前記貯蔵タンクと前記キャビネット本体は互いに対して閉じ、前記駆動ポンプは停止し、前記第１の事前設定分量は前記第３の事前設定分量よりも少ない、
請求項２２に記載の冷却装置。
【請求項２４】
第１のバルブおよび制御システムをさらに備え、前記第１のバルブは前記貯蔵タンクと前記キャビネット本体の相互連通と相互閉鎖を切り替えるように構成され、前記制御システムは前記第１の分量計および前記第１のバルブの両方と通信接続状態にあり、
前記第１の分量計が前記キャビネット本体内の前記冷媒の前記分量が前記第１の事前設定分量よりも少ないことを検出すると、前記制御システムは前記第１のバルブを制御して開き、その結果、前記貯蔵タンクと前記キャビネット本体は相互連通し、前記第１の分量計が前記キャビネット本体内の前記冷媒の前記分量が前記第１の事前設定分量に達したのを検出すると、前記制御システムは前記第１のバルブを制御して閉じ、その結果、前記貯蔵タンクと前記キャビネット本体は互いに対して閉じる、請求項２２に記載の冷却装置。
【請求項２５】
前記貯蔵タンクは前記第１の分流開口部と連通する第２の分流開口部が設けられ、前記第１のバルブは前記第１の分流開口部と前記第２の分流開口部の間に配置されている、または第２の分流開口部に対応する位置で前記貯蔵タンク内に配置されている、請求項２４に記載の冷却装置。
【請求項２６】
前記貯蔵タンクは前記キャビネット本体の上方に配置され、前記第２の分流開口部は前記第１の分流開口部の上方に設置されている、請求項２５に記載の冷却装置。
【請求項２７】
熱交換機器をさらに備え、前記熱交換機器の一端部は前記キャビネット本体と連通して設けられ、前記熱交換機器の他端部は外部液体供給装置と連通して設けられ、前記熱交換機器は前記冷媒を駆動して前記キャビネット本体内を循環させ、前記冷媒により熱交換をするように構成されている、請求項１７に記載の冷却装置。
【発明の詳細な説明】
【技術分野】
【０００１】
本明細書は放熱装置の技術分野に関し、特に冷却装置に関する。
【背景技術】
【０００２】
本出願は「冷却装置」と題され、２０１７年１１月３日に出願された中国特許出願第２０１７１１０７１２７１．６号の優先権を主張し、その内容は参照によりその全体が本明細書に組み込まれる。
【０００３】
クラウド演算技術（すなわち大規模分散システム技術）の急速な発展に伴い、サーバーの演算性能に対する要件は、ますます高くなっている。サーバーの性能は向上しているが電力消費は急速に増加しており、キャビネットの電力消費は指数関数的に増加している。データはデータセンターのキャビネットの電力密度が過去１０年間で約１５倍に増加したことを示している。従来、キャビネットの消費電力は一般的に１．５ｋＷ〜２ｋＷだった。しかしながら一部のキャビネットの消費電力は局所的に２０ｋＷ〜３０ｋＷに達している。
【０００４】
通常、データセンター内のサーバーは空調および空冷の方法によって冷却される。しかしながら電力密度は着実に増加しているため、多くのデータセンターが設ける冷却能力は現在限界に近づいている。したがって従来の空調および空冷の方法ではデータセンター内のサーバーの冷却需要を満たすことができなかった。その上、空調および空冷の方法は、大量のエネルギー、スペースおよびコストを消費し、また消費量は増加している。
【発明の概要】
【０００５】
本明細書はデータセンター内のサーバーの冷却効率を向上させる冷却装置を提供する。
【０００６】
本明細書の実施形態の第１の態様によれば、被冷却機器を冷却する冷却装置が提供され、冷却装置は、
被冷却機器を少なくとも部分的に浸すための冷媒を含むように構成されたキャビネット本体と、
キャビネット本体内の冷媒の分量を検出するための第１の分量計と、
冷媒を貯蔵する貯蔵タンクを含む補充機器であって、貯蔵タンクおよびキャビネット本体が互いに連通可能に接続されている、補充機器と、を含み、
第１の分量計がキャビネット本体内の冷媒の分量が第１の事前設定分量よりも少ないことを検出すると、貯蔵タンクとキャビネット本体は相互連通し、その結果、貯蔵タンク内の冷媒がキャビネット本体内へ移動される。
【０００７】
さらに、冷却装置は通信接続状態にある第２の分量計および警報機器をさらに含み、第２の分量計は貯蔵タンク内の冷媒の分量を検出するように構成されており、
第２の分量計が貯蔵タンク内の冷媒の分量が第２の事前設定分量よりも少ないことを検出すると、警報機器は警報を発する。
【０００８】
さらに、冷却装置は冷媒を駆動し貯蔵タンクとキャビネット本体の間で移動させるための駆動機器をさらに含む。
【０００９】
さらに、第１の分量計がキャビネット本体内の冷媒の分量が第１の事前設定分量よりも少ないことを検出すると、貯蔵タンクとキャビネット本体は相互連通し、駆動機器は貯蔵タンク内の冷媒を駆動しキャビネット本体内へ移動させ、
第１の分量計がキャビネット本体内の冷媒の分量が第３の事前設定分量に達したのを検出すると貯蔵タンクとキャビネット本体は互いに対して閉じ、駆動機器は停止し、ここで第３の事前設定分量は第１の事前設定分量よりも多い。
【００１０】
さらに、第１の分量計がキャビネット本体内の冷媒の分量が第３の事前設定分量を超過したのを検出すると貯蔵タンクとキャビネット本体は相互連通し、駆動機器はキャビネット本体内の冷媒を駆動し貯蔵タンク内へ移動させ、
第１の分量計がキャビネット本体内の冷媒の分量が第３の事前設定分量に復元したのを検出すると、貯蔵タンクとキャビネット本体は互いに対して閉じ、駆動機器は停止し、ここで第３の事前設定分量は第１の事前設定分量よりも多い。
【００１１】
さらに、冷却装置は第１のバルブおよび制御システムをさらに含み、第１のバルブは貯蔵タンクとキャビネット本体の相互連通と相互閉鎖を切り替えるように構成され、制御システムは第１の分量計および第１のバルブの両方と通信接続状態にあり、
第１の分量計がキャビネット本体内の冷媒の分量が第１の事前設定分量よりも少ないことを検出すると、制御システムは第１のバルブを制御して開き、その結果、貯蔵タンクとキャビネット本体は相互連通し、第１の分量計がキャビネット本体内の冷媒の分量が第１の事前設定分量に達したのを検出すると、制御システムは第１のバルブを制御して閉じ、その結果、貯蔵タンクとキャビネット本体は互いに対して閉じる。
【００１２】
さらに、キャビネット本体は冷媒を導入する第１の分流開口部が設けられ、貯蔵タンクは第１の分流開口部と連通する第２の分流開口部が設けられ、第１のバルブは第１の分流開口部と第２の分流開口部の間に配置され、または貯蔵タンク内の第２の分流開口部に対応する位置に配置される。
【００１３】
さらに、貯蔵タンクはキャビネット本体の上方に配置され、また第２の分流開口部は第１の分流開口部の上方に設置される。
【００１４】
さらに、冷却装置は熱交換機器をさらに含み、熱交換機器の一端部はキャビネット本体と連通して設けられ、また熱交換機器の他端部は外部液体供給装置と連通して設けられ、熱交換機器は冷媒を駆動しキャビネット本体内を循環させ冷媒により熱交換をするように構成されている。
【００１５】
本明細書の実施形態の第２の態様によれば、被冷却機器を冷却するための冷却装置が提供され、冷却装置は、
被冷却機器を少なくとも部分的に浸すための冷媒を含むように構成されたキャビネット本体であって、キャビネット本体は冷媒を導入するための第１の分流開口部および冷媒を排出するための第３の分流開口部が設けられている、キャビネット本体と、
濾過機器であって、濾過機器は第１の分流開口部と連通する第４の分流開口部および第３の分流開口部と連通する第５の分流開口部が設けられ、濾過機器はキャビネット本体内の冷媒を駆動し、濾過するために濾過機器を通して流すように構成されている、濾過機器と、
を含む。
【００１６】
さらに、濾過機器はフィルターおよびフィルターと連通して設けられた駆動ポンプを含み、駆動ポンプはキャビネット本体内の冷媒を駆動し濾過するためにフィルターを通して流すように構成され、フィルターおよび駆動ポンプの一方には第４の分流開口部が設けられ、またフィルターおよび駆動ポンプの他方には第５の分流開口部が設けられている。
【００１７】
さらに、冷却装置は第１の検出システムおよび第２のバルブをさらに含み、第１の検出システムはキャビネット本体内の冷媒の純度を検出するように構成され、また第２のバルブは第１の分流開口部と第４の分流開口部の間、または第３の分流開口部と第５の分流開口部の間に配置され、
第１の検出システムがキャビネット本体内の冷媒の純度が設定値よりも低いことを検出すると、第２のバルブは開かれ、駆動ポンプはキャビネット本体内の冷媒を駆動し濾過するためにフィルターを通して流す。
【００１８】
さらに、冷却装置は駆動ポンプと連通して設けられた貯蔵機器をさらに含み、駆動ポンプはさらにキャビネット本体内の冷媒を駆動し貯蔵機器内へ移動させる。
【００１９】
さらに、冷却装置は貯蔵機器と駆動ポンプの間に設けられた第３のバルブをさらに含み、第３のバルブが開かれると、駆動ポンプはキャビネット本体内の冷媒を駆動し貯蔵機器内へ移動させる。
【００２０】
さらに、冷却装置はキャビネット本体の上部に配置されたカバー、濾過機器と通信接続状態にある制御システム、および制御システムと通信接続状態にある第２の検出システムをさらに含み、第２の検出システムはカバーが開いているか否かを検出するように構成され、カバーが閉状態であることを検出すると、第２の検出システムは制御システムへ第１の検出信号を送信し、制御システムは濾過機器を制御して停止し、カバーが開状態であることを検出すると、第２の検出システムは制御システムへ第２の検出信号を送信し、制御システムは濾過機器を制御し稼働させる。
【００２１】
さらに、冷却装置は熱交換機器をさらに含み、熱交換機器の一端部はキャビネット本体と連通して設けられ、また熱交換機器の他端部は外部液体供給装置と連通して設けられ、熱交換機器は冷媒を駆動しキャビネット本体内を循環させ冷媒により熱交換をするように構成されている。
【００２２】
本明細書の実施形態の第３の態様によれば、被冷却機器を冷却するための冷却装置が提供され、冷却装置は、
被冷却機器を少なくとも部分的に浸すための冷媒を含むように構成されたキャビネット本体であって、キャビネット本体は冷媒を導入するための第１の分流開口部および冷媒を排出するための第３の分流開口部が設けられている、キャビネット本体と、
キャビネット本体内の冷媒の分量を検出するための第１の分量計と、
冷媒を貯蔵する貯蔵タンクを含む補充機器であって、貯蔵タンクおよびキャビネット本体が互いに連通可能に接続されている、補充機器と、
濾過機器であって、濾過機器は第１の分流開口部と連通する第４の分流開口部および第３の分流開口部と連通する第５の分流開口部が設けられ、濾過機器はキャビネット本体内の冷媒を駆動し濾過するために濾過機器を通して流すように構成されている、濾過機器と、を含み、
第１の分量計がキャビネット本体内の冷媒の分量が第３の事前設定分量を超過したのを検出すると、貯蔵タンクとキャビネット本体は相互連通し、濾過機器はキャビネット本体内の冷媒を駆動して貯蔵タンク内へ移動させる。
【００２３】
さらに、冷却装置は通信接続状態にある第２の分量計および警報機器をさらに含み、第２の分量計は貯蔵タンク内に設計され貯蔵タンク内の冷媒の分量を検出するように構成され、
第２の分量計が貯蔵タンク内の冷媒の分量が第２の事前設定分量よりも少ないことを検出すると、警報機器は警報を発する。
【００２４】
さらに、濾過機器はフィルターおよびフィルターと連通して設けられた駆動ポンプを含み、駆動ポンプはキャビネット本体内の冷媒を駆動し濾過するためにフィルターを通して流すように構成され、フィルターおよび駆動ポンプの一方には第４の分流開口部が設けられ、またフィルターおよび駆動ポンプの他方には第５の分流開口部が設けられている。
【００２５】
さらに、冷却装置は第１の検出システムおよび第２のバルブをさらに含み、第１の検出システムはキャビネット本体内の冷媒の純度を検出するように構成され、また第２のバルブは第１の分流開口部と第４の分流開口部の間、または第３の分流開口部と第５の分流開口部の間に配置され、
第１の検出システムがキャビネット本体内の冷媒の純度が設定値よりも低いことを検出すると、第２のバルブは開かれ、駆動ポンプはキャビネット本体内の冷媒を駆動し濾過するためにフィルターを通して流す。
【００２６】
さらに、濾過機器は冷媒を駆動し貯蔵タンクとキャビネット本体の間で移動させるための駆動ポンプをさらに含み、
第１の分量計がキャビネット本体内の冷媒の分量が第３の事前設定分量を超過したのを検出すると、貯蔵タンクとキャビネット本体は相互連通し、駆動ポンプはキャビネット本体内の冷媒を駆動し貯蔵タンク内へ移動させ、
第１の分量計がキャビネット本体内の冷媒の分量が第３の事前設定分量に復元したのを検出すると、貯蔵タンクとキャビネット本体は互いに対して閉じ、駆動ポンプは停止する。
【００２７】
さらに、第１の分量計がキャビネット本体内の冷媒の分量が第１の事前設定分量よりも少ないことを検出すると、貯蔵タンクとキャビネット本体は相互連通し、濾過機器は貯蔵タンク内の冷媒を駆動しキャビネット本体内へ移動させる。
【００２８】
さらに、濾過機器は冷媒を駆動し貯蔵タンクとキャビネット本体の間で移動させるための駆動ポンプをさらに含み、
第１の分量計がキャビネット本体内の冷媒の分量が第１の事前設定分量よりも少ないことを検出すると、貯蔵タンクとキャビネット本体は相互連通し、駆動ポンプは貯蔵タンク内の冷媒を駆動しキャビネット本体内へ移動させ、
第１の分量計がキャビネット本体内の冷媒の分量が第３の事前設定分量に達したのを検出すると、貯蔵タンクとキャビネット本体は互いに対して閉じ、駆動ポンプは停止し、ここで第１の事前設定分量は第３の事前設定分量よりも少ない。
【００２９】
さらに、冷却装置は第１のバルブおよび制御システムをさらに含み、第１のバルブは貯蔵タンクとキャビネット本体の相互連通と相互閉鎖を切り替えるように構成され、また制御システムは第１の分量計および第１のバルブの両方と通信接続状態にあり、
第１の分量計がキャビネット本体内の冷媒の分量が第１の事前設定分量よりも少ないことを検出すると、制御システムは第１のバルブを制御して開き、その結果、貯蔵タンクとキャビネット本体は相互連通し、
第１の分量計がキャビネット本体内の冷媒の分量が第１の事前設定分量に達したのを検出すると、制御システムは第１のバルブを制御して閉じ、その結果、貯蔵タンクとキャビネット本体は互いに対して閉じる。
【００３０】
さらに、貯蔵タンクは第１の分流開口部と連通する第２の分流開口部が設けられ、また第１のバルブは第１の分流開口部と第２の分流開口部の間に配置され、または貯蔵タンク内の第２の分流開口部に対応する位置に配置される。
【００３１】
さらに、貯蔵タンクはキャビネット本体の上方に配置され、また第２の分流開口部は、第１の分流開口部の上方に設置される。
【００３２】
さらに、冷却装置は熱交換機器をさらに含み、熱交換機器の一端部はキャビネット本体と連通して設けられ、また熱交換機器の他端部は外部液体供給装置と連通して設けられ、熱交換機器は冷媒を駆動しキャビネット本体内を循環させ、冷媒により熱交換をするように構成されている。
【００３３】
上記の技術的解決策から分かるように、本明細書の冷却装置では、一方ではキャビネット本体内の冷媒は使用中に徐々に消費されるので、第１の分量計がキャビネット本体内の冷媒の分量が第１の事前設定分量よりも少ないことを検出すると（すなわち冷媒の分量が最小要件に達すると）、貯蔵タンクとキャビネット本体は相互連通し、その結果、補充機器の貯蔵タンク内の冷媒をキャビネット本体内へ移動し、したがって手動補充することなくキャビネット本体へ冷媒を自動補充する機能を実現し、冷却装置の整備効率を向上し、データセンター内のサーバーの冷却装置の冷却効率をさらに向上させる。他方では使用中にキャビネット本体内の冷媒は徐々に汚染されるので、冷媒を濾過機器によって濾過し冷媒内の不純物を除去し定期的な冷媒の手動交換を必要とせず冷却装置の通常稼働を確保でき、冷却装置の整備効率を向上しデータセンター内のサーバーの冷却装置の冷却効率をさらに向上させる。
【図面の簡単な説明】
【００３４】
【図１】図１は本明細書の例示的な実施形態による冷却装置の概略構造図である。
【図２】図２は本明細書の例示的な実施形態による別の冷却装置の概略構造図である。
【図３】図３は本明細書の例示的な実施形態によるさらに別の冷却装置の概略構造図である。
【発明を実施するための形態】
【００３５】
本明細書では、例示的な実施形態を詳細に説明し、その例を図面に示す。以下の説明が図面を参照するとき別段の指示がない限り、異なる図面の同じ番号は同じまたは同様の要素を指す。以下の例示的な実施形態で説明される実装は本明細書と一致する全ての実装を表すものではない。代わりに、それらは本明細書の添付の特許請求の範囲に詳述されるように、いくつかの態様と一致する機器および方法の単なる例である。
【００３６】
本明細書で使用される用語は単に特定の実施形態を説明するためだけのものであり、本明細書を限定することを意図するものではない。本明細書および添付の特許請求の範囲で使用される単数形「a」、「said（前記）」、および「the（前記）」も文脈で他の意味が明示的に示されていない限り複数形を含むことも意図される。本明細書で使用される「and/or（および／または）」という用語は、１つまたは複数の関連する列挙された項目の任意または全ての可能な組み合わせを指し包含することも理解されたい。
【００３７】
本明細書では、「first（第１の）」、「second（第２の）」、「third（第３の）」などの用語を使用して様々なタイプの情報を説明し得るが、そのような情報はこれらの用語に限定されないことを理解されたい。これらの用語は同じタイプの情報を互いに区別するためにのみ使用される。例えば本明細書の範囲から逸脱することなく、第１の情報を第２の情報と呼んでもよい。同様に第２の情報を第１の情報と呼んでもよい。文脈によって例えば本明細書で使用される「if（もし〜ならば）」という単語は「at the time of（の際に）」または「when（の場合）」または「in response to a determination（決定に応答して）」と解釈し得る。
【００３８】
本明細書はデータセンター内のサーバーの冷却効率を向上するための冷却装置を提供する。以下、本明細書の冷却装置について図面を参照して詳細を説明する。矛盾がない場合、以下の実施形態および実装における特徴は互いに組み合わせ得る。
【００３９】
実施形態１
図１を参照すると、本明細書の実施形態は被冷却機器９０を冷却するための単相浸液冷却技術を採用した冷却装置１を提供する。被冷却機器９０はデータセンター内のサーバーであり得る、または冷却の必要なその他の発熱装置であり得る。冷却装置１はキャビネット本体１０、第１の分量計１１０、および補充機器２０を含む。キャビネット本体１０は差込部品１００が設けられることがあり、また差込部品１００はシート状の構造を採用し得る被冷却機器９０が順次差し込まれる。ここでキャビネット本体１０は被冷却機器９０を少なくとも部分的に浸すための非伝導性の冷媒８０を含むことがあり、第１の分量計１１０はキャビネット本体１０内の冷媒８０の分量を検出するように構成されている。補充機器２０は冷媒８０を貯蔵する貯蔵タンク２１０を含み、貯蔵タンク２１０およびキャビネット本体１０は互いに連通可能に接続される。第１の分量計１１０がキャビネット本体１０内の冷媒８０の分量が第１の事前設定分量よりも少ないことを検出すると、貯蔵タンク２１０とキャビネット本体１０は相互連通し、その結果、キャビネット本体１０内へ貯蔵タンク２１０内の冷媒８０を移動させる。冷媒８０は被冷却機器９０を完全に浸してもよく、または被冷却機器９０を部分的に浸してもよく、これらは実際の要求に応じて設定され得る、ということを留意すべきである。冷媒８０は気体媒体、液体媒体、または固液混合媒体でもよく、これらもまた実際の要求に応じて設定され得る。第１の分量計１１０は接触型または非接触型でもよく、これらもまた実際の要求に応じて設定され得る。対応する変更は異なる冷媒８０に応じて行い得る。例えば冷媒８０が液体である場合、第１の分量計１１０は液面計であり得る。この実施形態では冷媒８０は被冷却機器９０を完全に浸し、また冷媒８０は液体３Ｍ電子フッ素化液体である。第１の分量計１１０はキャビネット本体内に配置されている。
【００４０】
上記の技術的解決策から分かるように本明細書の冷却装置１では、使用中にキャビネット本体１０内の冷媒８０が徐々に消費されるので、第１の分量計１１０が冷媒の分量が第１の事前設定分量よりも少ないことを検出すると（すなわちキャビネット本体１０内の冷媒の分量が最小要件に達すると）、貯蔵タンク２１０とキャビネット本体１０は相互連通し、その結果、補充機器２０の貯蔵タンク２１０内の冷媒８０をキャビネット本体１０内へ移動させて、したがって手動補充することなく冷媒をキャビネット本体１０へ自動補充する機能を実現し、これは冷却装置１の整備効率を向上させデータセンター内のサーバーの冷却装置１の冷却効率をさらに向上させる。
【００４１】
任意の実装方法では本明細書の冷却装置１は第１のバルブ５１０および制御システムをさらに含み、第１のバルブ５１０は貯蔵タンク２１０とキャビネット本体１０の相互連通と相互閉鎖を切り替えるように構成され、制御システムは第１の分量計１１０および第１のバルブ５１０の両方と通信接続状態にある。キャビネット本体１０内の冷媒８０の分量が第１の事前設定分量よりも少ないことを検出すると、第１の分量計１１０は制御システムへ検出信号を送信し、制御システムは第１のバルブ５１０を制御して開き、その結果、貯蔵タンク２１０とキャビネット本体１０は相互連通する。キャビネット本体１０内の冷媒８０の分量が第１の事前設定分量に達したのを検出すると、第１の分量計１１０は制御システムへ検出信号を送信し、制御システムは第１のバルブ５１０を制御して閉じ、その結果、貯蔵タンク２１０とキャビネット本体１０は互いに対して閉じる。制御システムは第１のバルブ５１０を制御して開閉し、したがってキャビネット本体１０に自動的に補充する、またはキャビネット本体１０の補充を停止するという目的を達成する。任意選択で第１のバルブ５１０は電磁バルブである。
【００４２】
任意の実装方法では、本出願の冷却装置１は通信接続状態にある第２の分量計２２０および警報機器をさらに含み、第２の分量計２２０は貯蔵タンク２１０内の冷媒８０の分量を検出するように構成されている。第２の分量計２２０が貯蔵タンク２１０内の冷媒８０の分量が第２の事前設定分量よりも少ないことを検出すると、警報機器は警報を発し、さらに貯蔵タンク２１０を補充するようにオペレーターに通知する目的を達成する。任意選択で制御システムは第２の分量計２２０および警報機器の両方と通信接続状態にある。貯蔵タンク２１０内の冷媒８０の分量が第２の事前設定分量よりも少ないことを検出すると、第２の分量計２２０は制御信号へ検出信号を送信し、制御システムは警報機器を制御して警報を発する。制御システムは警報機器を制御して警報を発し、したがって貯蔵タンク２１０を補充するようにオペレーターに通知する目的を達成する。任意選択で第２の分量計２２０は貯蔵タンク２１０内に配置される。第２の分量計２２０は接触型または非接触型でもよく、これらもまた実際の要求に応じて設定され得る。対応する変更は異なる冷媒８０に応じて行い得る。例えば冷媒８０が液体である場合、第２の分量計２２０は液面計であり得る。
【００４３】
任意の実装方法では、本明細書の冷却装置１は冷媒８０を駆動して貯蔵タンク２１０とキャビネット本体１０の間で移動させる駆動機器をさらに含み、すなわち駆動機器は貯蔵タンク２１０内の冷媒８０を駆動してキャビネット本体１０内へ移動させることができるだけでなく、キャビネット本体１０内の冷媒８０を駆動して貯蔵タンク２１０内へ移動させることもできる。任意選択で駆動機器はポンプであってもよく、制御システムはポンプを制御して稼働または停止し得る。キャビネット本体１０を補充する必要がある場合、ポンプの駆動下で貯蔵タンク２１０内の冷媒８０をキャビネット本体１０内へ移動することができる。キャビネット本体１０内へ流し込まれた冷媒８０が上限を超過する場合、またはキャビネット本体１０内の冷媒８０を空にする必要がある場合（例えば、移転の目的で）、ポンプの駆動下でキャビネット本体１０内の冷媒８０を貯蔵タンク２１０内へ移動することができる。任意選択で駆動機器は貯蔵タンク２１０内に配置される。
【００４４】
キャビネット本体１０内の冷媒８０の分量が第１の事前設定分量よりも少ないことを検出すると、第１の分量計１１０は制御システムへ検出信号を送信し、制御システムは第１のバルブ５１０を制御して開き、その結果、貯蔵タンク２１０とキャビネット本体１０は相互連通し駆動機器は作動し、その結果、駆動機器は貯蔵タンク２１０内の冷媒８０を駆動しキャビネット本体１０内へ移動させ、次いで、キャビネット本体１０は自動的に補充される。キャビネット本体１０内の冷媒８０の分量が第３の事前設定分量に達したのを検出すると第１の分量計１１０は制御システムへ検出信号を送信し、制御システムは第１のバルブ５１０を制御して閉じ、その結果、貯蔵タンク２１０とキャビネット本体１０は互いに対して閉じ、駆動機器は停止し、その結果、駆動機器は貯蔵タンク２１０内の冷媒８０を駆動しキャビネット本体１０内へ移動させるのを停止し、このようにしてキャビネット本体１０への補充を停止する。ここでの第３の事前設定分量は第１の事前設定分量よりも多く、第１の事前設定分量はキャビネット本体１０内の冷媒８０の許容分量範囲の下限を示し、第３の事前設定分量はキャビネット本体１０内の冷媒８０の許容分量範囲の上限を示すことを意味している。
【００４５】
キャビネット本体１０内の冷媒８０の分量が第３の事前設定分量よりも多いことを検出すると、第１の分量計１１０は制御システムへ検出信号を送信し、制御システムは第１のバルブ５１０を制御して開き、その結果、貯蔵タンク２１０とキャビネット本体１０は相互連通し駆動機器は作動し、その結果、駆動機器はキャビネット本体１０内の冷媒８０を駆動して貯蔵タンク２１０内へ移動させ、過剰なキャビネット本体１０内の冷媒８０の溢流のリスクを回避するために過剰なキャビネット本体１０内の冷媒８０を貯蔵タンク２１０内へくみ上げる。キャビネット本体１０内の冷媒８０の分量が第３の事前設定分量に復元したのを検出すると、第１の分量計１１０は制御システムへ検出信号を送信し、制御システムは第１のバルブ５１０を制御して閉じ、その結果、貯蔵タンク２１０とキャビネット本体１０は互いに対して閉じ、また駆動機器は停止し、その結果、駆動機器はキャビネット本体１０内の冷媒８０を駆動して貯蔵タンク２１０内へ移動させるのを停止し、このようにしてキャビネット本体１０から冷媒８０をくみ上げるのを停止する。
【００４６】
キャビネット本体１０内の冷媒８０を空にする必要がある場合、第１のバルブ５１０を制御システムによって直接制御し開くことができ、その結果、貯蔵タンク２１０とキャビネット本体１０は相互連通し、また駆動機器は作動し、その結果、キャビネット本体１０内の冷媒８０が完全にくみ上がるまで駆動機器はキャビネット本体１０内の冷媒８０を駆動して貯蔵タンク２１０内へ移動させ、次いで第１のバルブ５１０は制御システムによって閉じられ、その結果、貯蔵タンク２１０とキャビネット本体１０は互いに対して閉じ、また駆動機器はキャビネット本体１０から冷媒８０をくみ上げるのを停止する。
【００４７】
任意の実装方法では、キャビネット本体１０は冷媒８０を導入するための第１の分流開口部１０１が設けられ、また貯蔵タンク２１０は第１の分流開口部１０１と連通する第２の分流開口部２１１が設けられ、第１のバルブ５１０は第１の分流開口部１０１と第２の分流開口部２１１の間に配置され、または貯蔵タンク２１０内の第２の分流開口部２１１に対応する位置に配置され、第１の分流開口部１０１および第２の分流開口部２１１は導管を通して接続し得る。さらに貯蔵タンク２１０はキャビネット本体１０の上方に配置され、第２の分流開口部２１１は第１の分流開口部１０１の上方に設置され、その結果、貯蔵タンク２１０内の冷媒８０の液面はキャビネット本体１０内の冷媒８０の液面よりも高い。キャビネット本体１０を補充する必要がある場合、第１のバルブ５１０は開き、その結果、貯蔵タンク２１０内の冷媒８０は重力の作用下でキャビネット本体１０内へ直接流れることができる。
【００４８】
任意の実装方法では、本出願の冷却装置１は熱交換機器４０をさらに含み、熱交換機器４０の一端部はキャビネット本体１０と連通して設けられ、また熱交換機器４０の他端部は外部液体供給装置と連通して設けられ、熱交換機器４０は冷媒８０を駆動してキャビネット本体１０を循環させ冷媒８０により熱交換をするように構成されている。熱交換機器４０は冷媒８０を駆動し冷却装置１のキャビネット本体１０内を循環させ被冷却機器９０の熱を奪い、熱交換機器４０は外部液体供給装置により熱交換し、その結果、冷媒８０は再び低温状態に達し再び冷却装置１のキャビネット本体１０内を循環し被冷却機器９０を冷却し、このようにして被冷却機器９０の熱を循環的および連続的に排出する目的を達成する。
【００４９】
さらに、キャビネット本体１０は冷媒８０を導入するための分流入口１０２および冷媒８０を排出するための分流出口１０３がさらに設けられている。熱交換機器４０は熱交換器４１０および分流ポンプ４２０を含む。熱交換器４１０は第１の循環ループを通して冷却装置１の冷却本体１０と接続され、第２の循環ループを通して外部液体供給装置と接続されている。第１の循環ループは第１の導管４３０および第２の導管４４０を含み、第２の循環ループは第３の導管４５０および第４の導管４６０を含む。第１の導管４３０は冷却装置１のキャビネット本体１０の分流入口１０２と連通して設けられ、第２の導管４４０は冷却装置１のキャビネット本体１０の分流出口１０３と連通して設けられ、第３の導管４５０および第４の導管４６０は両方とも、外部液体供給装置と連通して設けられている。任意選択で熱交換機器４０はさらに流量計４７０を含んでもよく、流量計４７０は分流ポンプ４２０とキャビネット本体１０の間に配置され、および冷媒８０の流量を検出するために使用され得る。分流ポンプ４２０の圧力は流量計４７０の検出結果に応じて調整され、それにより冷媒８０の流量を調整する目的を達成し得る。第１の導管４３０および第２の導管４４０の各々は冷媒８０が熱交換機器４０内を循環する導管経路を開閉するためのバルブ４８０が設けられ得る。
【００５０】
本明細書の冷却装置１が稼働すると、ポンプは冷媒８０を駆動し第１の循環ループを通して冷却装置１のキャビネット本体１０内を循環させ、冷媒８０は冷却装置１のキャビネット本体１０内の循環を通して被冷却機器９０の熱を奪い、熱交換機器４０の熱交換器４１０に入る。外部液体供給装置は第２の循環ループ内に循環的に冷却水を供給することができ、被冷却機器９０の熱を運ぶ冷媒８０は外部液体供給装置によって供給された冷却水によって熱交換器４１０内で熱交換し冷媒８０により運ばれた熱を放出し、その結果、冷媒８０は再び低温状態に達し得て、これは冷却装置１内を循環後、再び被冷却機器９０を冷却し、このようにして被冷却機器９０の熱を循環的および連続的に排出する目的を達成することができる。
【００５１】
実施形態２
図２を参照すると、本明細書の実施形態は被冷却機器９０を冷却するための単相浸液冷却技術を採用した冷却装置１を提供する。被冷却機器９０はデータセンター内のサーバーであり得る、または冷却の必要なその他の発熱装置であり得る。冷却装置１はキャビネット本体１０および濾過機器３０を含む。キャビネット本体１０は差込部品１００が設けられることがあり、また差込部品１００はシート状の構造を採用し得る被冷却機器９０が順次差し込まれる。キャビネット本体１０は被冷却機器９０を少なくとも部分的に浸すための冷媒８０を含み得て、キャビネット本体１０は冷媒８０を導入するための第１の分流開口部１０１および冷媒８０を排出するための第３の分流開口部１０４が設けられている。濾過機器３０はキャビネット本体１０の第１の分流開口部１０１と連通する第４の分流開口部３０１および第３の分流開口部１０４と連通する第５の分流開口部３０２が設けられ、濾過機器３０はキャビネット本体１０内の冷媒８０を駆動して濾過するために濾過機器３０を通して流す。冷媒８０は被冷却機器９０を完全に浸してもよく、または被冷却機器９０を部分的に浸してもよく、これらは実際の要求に応じて設定され得る、ということを留意すべきである。冷媒８０は、気体媒体、液体媒体、または固液混合媒体でもよく、これらもまた実際の要求に応じて設定され得る。この実施形態では、冷媒８０は被冷却機器９０を完全に浸し、および冷媒８０は液体３Ｍ電子フッ素化液体である。第３の分流開口部１０４はキャビネット本体１０の下部に配置され、第１の分流開口部１０１および第４の分流開口部３０１は導管によって接続され得る、また第３の分流開口部１０４および第５の分流開口部３０２は導管によって接続され得る。
【００５２】
上記の技術的解決策から分かるように本出願の冷却装置１では、キャビネット本体１０内の冷媒８０は使用中に徐々に汚染されるので、冷媒８０は濾過機器３０によって濾過し冷媒８０の不純物を除去することができ、冷却装置１は定期的な冷媒８０の手動交換の必要なく適切に稼働できることを確保し、冷却装置１の整備効率は向上し、データセンター内のサーバーの冷却装置１の冷却効率はさらに向上する。
【００５３】
任意の実装方法では、濾過機器３０はフィルター３１０およびフィルター３１０と連通して設けられた駆動ポンプ３２０を含む。駆動ポンプ３２０はキャビネット本体１０内の冷媒８０を駆動して濾過するためにフィルター３１０を通して流すように構成されている。フィルター３１０および駆動ポンプ３２０の一方には第４の分流開口部３０１が設けられ、フィルター３１０および駆動ポンプ３２０の他方には第５の分流開口部３０２が設けられている。図示の例では駆動ポンプ３２０はキャビネット本体１０の第３の分流開口部１０４の近くに設置され、フィルター３１０はキャビネット本体１０の第１の分流開口部１０１の近くに設置され、それによって第４の分流開口部３０１はフィルター３１０内に配置され、第５の分流開口部３０２は駆動ポンプ３２０内に配置される。キャビネット本体１０内の冷媒８０は使用中に徐々に汚染されるので、キャビネット本体１０内の冷媒８０は駆動ポンプ３２０により駆動され濾過するためにフィルター３１０を通り流れることができ、その結果、冷媒８０の不純物は除去され、このようにして冷却装置１の通常稼働を確保する。
【００５４】
任意の実装方法では本明細書の冷却装置１は、制御システム、第１の検出システム、および第２のバルブ５２０をさらに含む。第２のバルブ５２０は好ましくは電磁バルブであり、また制御システムは駆動ポンプ３２０、第１の検出システム、および第２のバルブ５２０と通信接続状態にある。第１の検出システムはキャビネット本体１０内の冷媒８０の純度を検出するように構成され、また第２のバルブ５２０は第１の分流開口部１０１と第４の分流開口部３０１の間、または第３の分流開口部１０４と第５の分流開口部３０２の間に配置される。図示の例では第２のバルブ５２０は第１の分流開口部１０１と第４の分流開口部３０１の間に配置される。
【００５５】
第１の検出システムがキャビネット本体１０内の冷媒８０の純度が設定値よりも低いことを検出すると、キャビネット本体１０内の冷媒８０の純度は要件に満たないことが示され、次いで第１の検出システムは検出信号制御システムへ検出信号を送信し、制御システムは第２のバルブ５２０を制御して開き、そして駆動ポンプ３２０を作動させ、その結果、駆動ポンプ３２０はキャビネット本体１０内の冷媒８０を駆動して濾過するためにフィルター３１０を通して流し、このようにしてキャビネット本体１０内の冷媒８０は自動的に濾過される。第１の検出システムがキャビネット本体１０内の冷媒８０の純度が設定値に達したのを検出すると、キャビネット本体１０内の冷媒８０の純度は要件を満たしていることが示され、次いで第１の検出システムは検出信号制御システムへ検出信号を送信し、制御システムは第２のバルブ５２０を制御して閉じ、そして駆動ポンプ３２０を停止し、その結果、駆動ポンプ３２０はキャビネット本体１０内の冷媒８０を駆動し濾過するためにフィルター３１０を通して流すのを停止する。明らかに制御システムはまた常に第２のバルブ５２０を開くように制御し駆動ポンプ３２０を常に稼働状態になるように制御し、その結果、駆動ポンプ３２０はキャビネット本体１０内の冷媒８０を循環的に駆動させ濾過するためにフィルター３１０を通して流し、このようにしてキャビネット本体１０内の冷媒８０を常に清潔に保つことが確保される。
【００５６】
任意の実装方法では、本出願の冷却装置１は駆動ポンプ３２０と連通して設けられた貯蔵機器７０をさらに含み、駆動ポンプ３２０はキャビネット本体１０内の冷媒８０を駆動し貯蔵機器７０内に移動させるようにさらに構成されている。キャビネット本体１０内の冷媒８０を空にする必要がある場合（例えば、移転の目的で）、駆動ポンプ３２０の駆動下でキャビネット本体１０内の冷媒８０を貯蔵機器７０内へ移動させる。
【００５７】
さらに、本明細書の冷却装置１は貯蔵機器７０と駆動ポンプ３２０の間に配置された第３のバルブ５３０をさらに含む。第３のバルブ５３０は好ましくは電磁バルブである。キャビネット本体１０内の冷媒８０を空にする必要がある場合、第３のバルブ５３０は制御システムによって制御され開くことができ、駆動ポンプ３２０は作動し、その結果、駆動ポンプ３２０はキャビネット本体１０内の冷媒８０が完全にくみ上がるまでキャビネット本体１０内の冷媒８０を駆動し貯蔵機器７０内に移動させ、次いで、第３のバルブ５３０は制御システムによって閉じられ、駆動ポンプ３２０はさらに停止する。
【００５８】
任意の実装方法では本明細書の冷却装置１は、キャビネット本体１０の上部に配置されたカバー、濾過機器３０と通信接続状態にある制御システム、および制御システムと通信接続状態にある第２の検出システムをさらに含み、第２の検出システムはカバーの状態（開／閉）を検出するように構成されている。第２の検出システムはカバーが閉状態であることを検出すると制御システムへ第１の検出信号を送信し、制御システムは、濾過機器３０を制御して停止させる。第２の検出システムは前記カバーが開状態であることを検出すると制御システムへ第２の検出信号を送信し、制御システムは濾過機器３０をコントロールして稼働させる。すなわちキャビネット本体１０のカバーが開いているか否かを濾過機器３０の誘因条件と見做す。通常の冷却および熱放散のためにキャビネット本体１０のカバーが閉じられると、濾過機器３０は稼働する。濾過機器３０はキャビネット本体１０のカバーが開いている時にのみ冷媒の濾過を開始し、これはエネルギー消費を低減することができる。
【００５９】
任意の実装方法では本出願の冷却装置１は、熱交換機器４０をさらに含み、熱交換機器４０の一端部はキャビネット本体１０と連通して設けられ、また熱交換機器４０の他端部は外部液体供給装置と連通して設けられ、熱交換機器４０は冷媒８０を駆動してキャビネット本体１０を循環させ冷媒８０により熱交換をするように構成されている。熱交換機器４０は冷媒８０を駆動し冷却装置１のキャビネット本体１０内を循環させ被冷却機器９０の熱を奪い、熱交換機器４０は外部液体供給装置により熱交換し、その結果、冷媒８０は再び低温状態に達し、再び冷却装置１のキャビネット本体１０内を循環し被冷却機器９０を冷却し、このようにして被冷却機器９０の熱を循環的および連続的に排出する目的を達成する。
【００６０】
さらに、キャビネット本体１０は冷媒８０を導入するための分流入口１０２および冷媒８０を排出するための分流出口１０３がさらに設けられている。熱交換機器４０は熱交換器４１０および分流ポンプ４２０を含む。熱交換器４１０は第１の循環ループを通して冷却装置１の冷却本体１０と接続し第２の循環ループを通して外部液体供給装置と接続している。第１の循環ループは第１の導管４３０および第２の導管４４０を含み、第２の循環ループは第３の導管４５０および第４の導管４６０を含む。第１の導管４３０は冷却装置１のキャビネット本体１０の分流入口１０２と連通して設けられ、第２の導管４４０は冷却装置１のキャビネット本体１０の分流出口１０３と連通して設けられ、第３の導管４５０および第４の導管４６０は両方とも、外部液体供給装置と連通して設けられている。任意選択で熱交換機器４０はさらに流量計４７０を含んでもよく、流量計４７０は分流ポンプ４２０とキャビネット本体１０の間に配置され、および冷媒８０の流量を検出するために使用され得る。分流ポンプ４２０の圧力は流量計４７０の検出結果に応じて調整され、それにより冷媒８０の流量を調整する目的を達成し得る。第１の導管４３０および第２の導管４４０の各々は冷媒８０が熱交換機器４０内を循環する導管経路を開閉するためのバルブ４８０が設けられ得る。
【００６１】
本明細書の冷却装置１が稼働するとポンプは冷媒８０を駆動し第１の循環ループを通して冷却装置１のキャビネット本体１０内を循環させ、冷媒８０は冷却装置１のキャビネット本体１０内の循環を通して被冷却機器９０の熱を奪い、熱交換機器４０の熱交換器４１０に入る。外部液体供給装置は第２の循環ループ内に循環的に冷却水を供給することができ、また被冷却機器９０の熱を運ぶ冷媒８０は外部液体供給装置によって供給された冷却水によって熱交換器４１０内で熱交換し、冷媒８０により運ばれた熱を放出し、その結果、冷媒８０は再び低温状態に達し得て、これは冷却装置１内を循環後、再び被冷却機器９０冷却し、このようにして被冷却機器９０の熱を循環的および連続的に排出する目的を達成することができる。
【００６２】
実施形態３
図３を参照すると、本明細書の実施形態は被冷却機器９０を冷却するための単相浸液冷却技術を採用した冷却装置１を提供する。被冷却機器９０はデータセンター内のサーバーであり得る、または冷却の必要なその他の発熱装置であり得る。冷却装置１はキャビネット本体１０、第１の分量計１１０、補充機器２０、および濾過機器３０を含む。キャビネット本体１０は差込部品１００が設けられることがあり、また差込部品１００はシート状の構造を採用し得る被冷却機器９０が順次差し込まれる。キャビネット本体１０は被冷却機器９０を少なくとも部分的に浸すための冷媒８０を含み得て、キャビネット本体１０は冷媒８０を導入するための第１の分流開口部１０１および冷媒８０を排出するための第３の分流開口部１０４が設けられ、第１の分量計１１０はキャビネット本体１０内の冷媒８０の分量を検出するように構成されている。補充機器２０は冷媒８０を貯蔵する貯蔵タンク２１０を含み、貯蔵タンク２１０およびキャビネット本体１０は互いに通信可能に接続される。濾過機器３０はキャビネット本体１０の第１の分流開口部１０１と連通する第４の分流開口部３０１および第３の分流開口部１０４と連通する第５の分流開口部３０２が設けられ、濾過機器３０はキャビネット本体１０内の冷媒８０を駆動して濾過するために濾過機器３０を通して流す。第１の分量計１１０がキャビネット本体１０内の冷媒８０の分量が第３の事前設定分量よりも多いことを検出すると、貯蔵タンク２１０とキャビネット本体１０は相互連通し、濾過機器３０はキャビネット本体１０内の冷媒８０を駆動し貯蔵タンク２１０内へ移動させる。冷媒８０は被冷却機器９０を完全に浸してもよく、または被冷却機器９０を部分的に浸してもよく、これらは実際の要求に応じて設定され得る、ということを留意すべきである。冷媒８０は、気体媒体、液体媒体、または固液混合媒体でもよく、これらもまた実際の要求に応じて設定され得る。第１の分量計１１０は接触型または非接触型でもよく、これらもまた実際の要求に応じて設定され得る。対応する変更は異なる冷媒８０に応じて行い得る。例えば冷媒８０が液体である場合、第１の分量計１１０は液面計であり得る。この実施形態では、冷媒８０は被冷却機器９０を完全に浸し、および冷媒８０は液体３Ｍ電子フッ素化液体である。第１の分量計１１０はキャビネット本体内に配置されている。第３の分流開口部１０４はキャビネット本体１０の下部に配置され、第１の分流開口部１０１および第４の分流開口部３０１は導管によって接続され得て、第３の分流開口部１０４および第５の分流開口部３０２は導管によって接続され得る。
【００６３】
上述の技術的解決策から、本明細書の冷却装置１は補充機器２０および濾過機器３０の両方を有機的に組み合わせるということが分かる。キャビネット本体１０内の冷媒８０が第３の事前設定分量を超過すると（すなわち、分量が過負荷になると）、貯蔵タンク２１０とキャビネット本体１０は相互連通し、濾過機器３０はキャビネット本体１０内の冷媒８０を駆動し貯蔵タンク２１０内へ移動させ、このようにして過剰なキャビネット本体１０内の冷媒８０の溢流のリスクを回避する。
【００６４】
任意の実装方法では、本出願の冷却装置１は通信接続状態にある第２の分量計２２０および警報機器をさらに含み、第２の分量計２２０は貯蔵タンク２１０内の冷媒８０の分量を検出するように構成されている。第２の分量計２２０が貯蔵タンク２１０内の冷媒８０の分量が第２の事前設定分量よりも少ないことを検出すると、警報機器は警報を発しさらに貯蔵タンク２１０を補充するようにオペレーターに通知する目的を達成する。任意選択で制御システムは第２の分量計２２０および警報機器の両方と通信接続状態にある。貯蔵タンク２１０内の冷媒８０の分量が第２の事前設定分量よりも少ないことを検出すると、第２の分量計２２０は制御信号へ検出信号を送信し、制御システムは警報機器を制御して警報を発する。制御システムは警報機器を制御して警報を発し、したがって貯蔵タンク２１０を補充するようにオペレーターに通知する目的を達成する。任意選択で第２の分量計２２０は貯蔵タンク２１０内に配置される。第２の分量計２２０は接触型または非接触型でもよく、これらもまた実際の要求に応じて設定され得る。対応する変更は異なる冷媒８０に応じて行い得る。例えば冷媒８０が液体である場合、第２の分量計２２０は液面計であり得る。
【００６５】
任意の実装方法では、濾過機器３０はフィルター３１０およびフィルター３１０と連通して設けられた駆動ポンプ３２０を含む。駆動ポンプ３２０はキャビネット本体１０内の冷媒８０を駆動して、濾過するためにフィルター３１０を通して流すように構成されている。フィルター３１０および駆動ポンプ３２０の一方は第４の分流開口部３０１が設けられ、フィルター３１０および駆動ポンプ３２０の他方は第５の分流開口部３０２が設けられている。図示の例では駆動ポンプ３２０はキャビネット本体１０の第３の分流開口部１０４の近くに設置され、またフィルター３１０はキャビネット本体１０の第１の分流開口部１０１の近くに設置され、それによって第４の分流開口部３０１はフィルター３１０内に配置され、第５の分流開口部３０２は駆動ポンプ３２０内に配置される。キャビネット本体１０内の冷媒８０は使用中に徐々に汚染されるので、キャビネット本体１０内の冷媒８０は駆動ポンプ３２０により駆動し濾過するためにフィルター３１０を通り流すことができ、その結果、冷媒８０の不純物は除去され、このようにして冷却装置１の通常稼働を確保する。キャビネット本体１０内の冷媒８０は使用中に徐々に汚染されるので、冷媒８０は濾過機器３０によって濾過し冷媒８０の不純物を除去することができ、定期的な冷媒８０の手動交換の必要なく冷却装置１の通常稼働を確保し、これは冷却装置１の整備効率を向上させデータセンター内のサーバーの冷却装置１の冷却効率をさらに向上させる。
【００６６】
任意の実装方法では、本明細書の冷却装置１は、制御システム、第１の検出システム、および第２のバルブ５２０をさらに含む。第２のバルブ５２０は好ましくは電磁バルブであり、また制御システムは濾過機器３０の駆動ポンプ３２０、第１の検出システム、および第２のバルブ５２０と通信接続状態にある。第１の検出システムはキャビネット本体１０内の冷媒８０の純度を検出するように構成され、第２のバルブ５２０は第１の分流開口部１０１と第４の分流開口部３０１の間、または第３の分流開口部１０４と第５の分流開口部３０２の間に配置される。図示の例では第２のバルブ５２０は第１の分流開口部１０１と第４の分流開口部３０１の間に配置される。
【００６７】
第１の検出システムがキャビネット本体１０内の冷媒８０の純度が設定値よりも低いことを検出すると、キャビネット本体１０内の冷媒８０の純度が要件に満たないことが示され、次いで第１の検出システムは検出信号制御システムへ検出信号を送信し、制御システムは第２のバルブ５２０を制御し開き濾過機器３０の駆動ポンプ３２０を作動させ、その結果、駆動ポンプ３２０はキャビネット本体１０内の冷媒８０を駆動し濾過するためにフィルター３１０を通して流し、このようにしてキャビネット本体１０内の冷媒８０は、自動的に濾過される。第１の検出システムがキャビネット本体１０内の冷媒８０の純度が設定値に達したのを検出すると、キャビネット本体１０内の冷媒８０の純度は要件を満たしていることが示され、次いで第１の検出システムは検出信号制御システムへ検出信号を送信し、制御システムは第２のバルブ５２０を制御して開き濾過機器３０の駆動ポンプ３２０を停止し、その結果、駆動ポンプ３２０はキャビネット本体１０内の冷媒８０を駆動して、濾過するためにフィルター３１０を通して流すのを停止する。明らかに制御システムはまた常に第２のバルブ５２０を開くように制御し駆動ポンプ３２０を常に稼働状態になるように制御し、その結果、駆動ポンプ３２０はキャビネット本体１０内の冷媒８０を循環的に駆動させ、濾過するためにフィルター３１０を通して流し、このようにしてキャビネット本体１０内の冷媒８０を常に清潔に保つことが確保される。
【００６８】
任意の実装方法では、本明細書の冷却装置１はキャビネット本体１０の上部に配置されたカバーおよび制御システムと通信接続状態にある第２の検出システムをさらに含み、第２の検出システムはカバーの状態（開／閉）を検出するように構成されている。第２の検出システムはカバーが閉状態であることを検出すると第１の検出信号を制御システムへ送信し、制御システムは濾過機器３０を制御して停止させる。第２の検出システムはカバーが開状態であることを検出すると第２の検出信号を制御システムへ送信し、制御システムは濾過機器３０をコントロールして稼働させる。すなわちキャビネット本体１０のカバーが開いているか否かを濾過機器３０の誘因条件と見做す。通常の冷却および熱放散のためにキャビネット本体１０のカバーが閉じられると、濾過機器３０は稼働する。濾過機器３０はキャビネット本体１０のカバーが開いている時にのみ冷媒の濾過を開始し、これはエネルギー消費を低減することができる。
【００６９】
任意の実装方法では、補充機器２０の貯蔵タンク２１０は濾過機器３０の駆動ポンプ３２０と連通して設けられている。濾過機器３０の駆動ポンプ３２０は冷媒８０を駆動して貯蔵タンク２１０とキャビネット本体１０の間に移動するようにさらに構成され、すなわち濾過機器３０の駆動ポンプ３２０は貯蔵タンク２１０内の冷媒８０を駆動してキャビネット本体１０内へ移動させることができるだけでなく、キャビネット本体１０内の冷媒８０を駆動して貯蔵タンク２１０内へ移動させることもできる。キャビネット本体１０を補充する必要がある場合、貯蔵タンク２１０内の冷媒８０は駆動ポンプ３２０の駆動下でキャビネット本体１０内へ移動させることができる。キャビネット本体１０内へ流し込まれた冷媒８０が上限を超過する場合、またはキャビネット本体１０内の冷媒８０を空にする必要がある場合（例えば、移転の目的で）、キャビネット本体１０内の冷媒８０は駆動ポンプ３２０の駆動下で貯蔵タンク２１０内へ移動させることができる。
【００７０】
さらに、本明細書の冷却装置１は貯蔵タンク２１０と駆動ポンプ３２０の間に配置された第３のバルブ５３０をさらに含む。第３のバルブ５３０は好ましくは電磁バルブである。キャビネット本体１０内の冷媒８０の分量が第３の事前設定分量に達したのを検出すると、第１の分量計１１０は制御システムへ検出信号を送信し、制御システムは第３のバルブ５３０を制御して開き濾過機器３０の駆動ポンプ３２０を作動させ、その結果、駆動ポンプ３２０はキャビネット本体１０内の冷媒８０を駆動し、貯蔵タンク２１０内へ移動させ、過剰なキャビネット本体１０内の冷媒８０を貯蔵タンク２１０内へくみ上げ、このようにして過剰なキャビネット本体１０内の冷媒８０の溢流のリスクを回避する。キャビネット本体１０内の冷媒８０の分量が第３の事前設定分量に復元したのを検出すると、第１の分量計１１０は制御システムへ検出信号を送信し、制御システムは第３のバルブ５３０を制御して閉じ濾過機器３０の駆動ポンプ３２０を停止し、その結果、駆動ポンプ３２０はキャビネット本体１０内の冷媒８０を駆動し貯蔵タンク２１０内へ移動させるのを停止し、このようにしてキャビネット本体１０から冷媒８０をくみ上げるのを停止する。
【００７１】
キャビネット本体１０内の冷媒８０を空にする必要がある場合、第３のバルブ５３０は制御システムにより直接制御されて開き、濾過機器３０の駆動ポンプ３２０は作動し、その結果、駆動ポンプ３２０はキャビネット本体１０内の冷媒８０を駆動させ、キャビネット本体１０内の冷媒８０が完全にくみ上がるまで貯蔵タンク２１０内へ移動させ、次いで、第３のバルブ５３０は制御システムによって閉じられ、駆動ポンプ３２０はさらに停止する。濾過機器３０の駆動ポンプ３２０はキャビネット本体１０内の冷媒８０に対して統合排水操作を実施するために使用され、キャビネット本体１０から冷媒８０をポンプでくみ上げる追加の装置は必要とされない。
【００７２】
キャビネット本体１０内の冷媒８０の分量が第１の事前設定分量よりも少ないことを検出すると、第１の分量計１１０は制御システムへ検出信号を送信し、制御システムは第１のバルブ５１０を制御して開き、その結果、貯蔵タンク２１０とキャビネット本体１０は相互連通し、濾過機器３０の駆動ポンプ３２０は作動し、その結果、駆動ポンプ３２０は貯蔵タンク２１０内の冷媒８０を駆動しキャビネット本体１０内へ移動させ、次いで、キャビネット本体１０は自動的に補充される。キャビネット本体１０内の冷媒８０の分量が第３の事前設定分量に達したのを検出すると、第１の分量計１１０は制御システムへ検出信号を送信し、制御システムは第１のバルブ５１０を制御して閉じ、その結果、貯蔵タンク２１０とキャビネット本体１０は互いに対して閉じ、濾過機器３０の駆動ポンプ３２０は停止し、その結果、駆動ポンプ３２０は貯蔵タンク２１０内の冷媒８０を駆動しキャビネット本体１０内へ移動させるのを停止し、このようにしてキャビネット本体１０への補充を停止する。ここでは第３の事前設定分量は第３の事前設定分量よりも多く、第１の事前設定分量はキャビネット本体１０内の冷媒８０の許容分量範囲の下限を示し、第３の事前設定分量はキャビネット本体１０内の冷媒８０の許容分量範囲の上限を示すことを意味している。
【００７３】
任意の実装方法では、本明細書の冷却装置１は第１のバルブ５１０をさらに含み、第１のバルブ５１０は貯蔵タンク２１０とキャビネット本体１０の相互連通と相互閉鎖を切り替えるように構成され、制御システムは、濾過機器３０の駆動ポンプ３２０、第１の分量計１１０、および第１のバルブ５１０と通信接続状態にある。キャビネット本体１０内の冷媒８０の分量が第１の事前設定分量よりも少ないことを検出すると、第１の分量計１１０は制御システムへ検出信号を送信し、制御システムは第１のバルブ５１０を制御して開き、その結果、貯蔵タンク２１０とキャビネット本体１０は相互連通し、駆動機器は作動し、その結果、濾過機器３０の駆動ポンプ３２０は貯蔵タンク２１０内の冷媒８０を駆動しキャビネット本体１０内へ移動させ、次いで、キャビネット本体１０は自動的に補充される。キャビネット本体１０内の冷媒８０の分量が第１の事前設定分量に達したのを検出すると、第１の分量計１１０は制御システムへ検出信号を送信し、制御システムは第１のバルブ５１０を制御して閉じ、その結果、貯蔵タンク２１０とキャビネット本体１０は互いに対して閉じ、濾過機器３０の駆動ポンプ３２０は貯蔵タンク２１０内の冷媒８０を駆動しキャビネット本体１０内へ移動させるのを停止し、このようにしてキャビネット本体１０への補充を停止する。制御システムは第１のバルブ５１０および濾過機器３０の駆動ポンプ３２０を制御して開閉し、したがって手動補充の必要なくキャビネット本体１０に自動的に補充する、またはキャビネット本体１０の補充を停止するという目的を達成する。それによって冷却装置１の整備効率は向上し、データセンター内のサーバーの冷却装置１の冷却効率はさらに向上する。任意選択で第１のバルブ５１０は電磁バルブである。
【００７４】
任意の実装方法では、貯蔵タンク２１０はキャビネット本体１０の第１の分流開口部１０１と連通する第２の分流開口部２１１が設けられ、第１のバルブ５１０は第１の分流開口部１０１と第２の分流開口部２１１の間に配置され、または貯蔵タンク２１０内の第２の分流開口部２１１に対応する位置に配置され、第１の分流開口部１０１および第２の分流開口部２１１は導管を通して接続し得る。さらに貯蔵タンク２１０はキャビネット本体１０の上方に配置され、第２の分流開口部２１１は第１の分流開口部１０１の上方に設置され、その結果、貯蔵タンク２１０内の冷媒８０の液面はキャビネット本体１０内の冷媒８０の液面よりも高い。キャビネット本体１０を補充する必要がある場合、第１のバルブ５１０は開き、その結果、重力の作用下で貯蔵タンク２１０内の冷媒８０はキャビネット本体１０内へ直接流れることができる。
【００７５】
任意の実装方法では、本出願の冷却装置１は熱交換機器４０をさらに含み、熱交換機器４０の一端部はキャビネット本体１０と連通して設けられ、熱交換機器４０の他端部は外部液体供給装置と連通して設けられ、熱交換機器４０は冷媒８０を駆動してキャビネット本体１０を循環させ冷媒８０により熱交換をするように構成されている。熱交換機器４０は冷媒８０を駆動し冷却装置１のキャビネット本体１０内を循環させ被冷却機器９０の熱を奪い、熱交換機器４０は外部液体供給装置により熱交換し、その結果、冷媒８０は再び低温状態に達し、再び冷却装置１のキャビネット本体１０内を循環し被冷却機器９０を冷却し、このようにして被冷却機器９０の熱を循環的および連続的に排出する目的を達成する。
【００７６】
さらに、キャビネット本体１０は冷媒８０を導入するための分流入口１０２および冷媒８０を排出するための分流出口１０３がさらに設けられている。熱交換機器４０は熱交換器４１０および分流ポンプ４２０を含む。熱交換器４１０は第１の循環ループを通して冷却装置１の冷却本体１０と接続し第２の循環ループを通して外部液体供給装置と接続している。第１の循環ループは第１の導管４３０および第２の導管４４０を含み、第２の循環ループは第３の導管４５０および第４の導管４６０を含む。第１の導管４３０は冷却装置１のキャビネット本体１０の分流入口１０２と連通して設けられ、第２の導管４４０は冷却装置１のキャビネット本体１０の分流出口１０３と連通して設けられ、第３の導管４５０および第４の導管４６０は両方とも、外部液体供給装置と連通して設けられている。任意選択で熱交換機器４０はさらに流量計４７０を含んでもよく、流量計４７０は分流ポンプ４２０とキャビネット本体１０の間に配置され、および冷媒８０の流量を検出するために使用され得る。分流ポンプ４２０の圧力は流量計４７０の検出結果に応じて調整され、それにより冷媒８０の流量を調整する目的を達成し得る。第１の導管４３０および第２の導管４４０の各々には冷媒８０が熱交換機器４０内を循環する導管経路を開閉するためのバルブ４８０が設けられ得る。
【００７７】
本明細書の冷却装置１が稼働すると、ポンプは冷媒８０を駆動し第１の循環ループを通して冷却装置１のキャビネット本体１０内を循環させ、冷媒８０は冷却装置１のキャビネット本体１０内の循環を通して被冷却機器９０の熱を奪い、熱交換機器４０の熱交換器４１０に入る。外部液体供給装置は第２の循環ループ内に循環的に冷却水を供給することができ、被冷却機器９０の熱を運ぶ冷媒８０は外部液体供給装置によって供給された冷却水によって熱交換器４１０内で熱交換し冷媒８０により運ばれた熱を放出し、その結果、冷媒８０は再び低温状態に達し得て、これは冷却装置１内を循環後、再び被冷却機器９０冷却し、このようにして被冷却機器９０の熱を循環的および連続的に排出する目的を達成することができる。
【００７８】
当業者は、本明細書を検討し本明細書に開示される本発明を実施した後、本明細書の他の実装解決策を容易に思いつくであろう。本明細書は本明細書のあらゆる変形、使用、または適合を網羅することを意図している。これらの修正、使用、または適合は本明細書の一般原則に従い本明細書に開示されていない技術分野における一般的な一般知識または従来の技術的手段を含む。本明細書および実施形態は単なる例示と見なされ本明細書の真の範囲および精神は以下の特許請求の範囲によって示される。
【００７９】
用語「comprises（備える）」、「comprising（備えること）」、またはその任意の他の変形は一連の要素を含むプロセス、方法、物品、または装置がそれらの要素を含むだけでなく明示的に列挙されていない他の要素も含むように非排他的な包含を網羅することを意図し、またはプロセス、方法、製品、または装置の固有の要素もまた含まれる。さらに制限がない場合、「including a/an...（a/an...を含む）」という文で定義された要素はその要素を含むプロセス、方法、製品、または装置が他の同一の要素をさらに含むことを除外しない。
【００８０】
上述の実施形態は本明細書の好ましい実施形態にすぎず、本明細書を限定することを意図するものではない。本明細書の精神および原理の範囲内で行われる変更、同等の置換、改良などは本明細書の範囲に含まれるものとする。
【図１】
2021501950.tif 000003
【図２】
2021501950.tif 000004
【図３】
2021501950.tif 000005
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
被冷却機器を冷却するための冷却装置であって、
前記被冷却機器を少なくとも部分的に浸すための冷媒を含むように構成されたキャビネット本体と、
前記キャビネット本体内の前記冷媒の分量を検出するための第１の分量計と、
前記キャビネット本体と結合し、前記冷媒を貯蔵する貯蔵タンクを備えた補充機器と、
を備え、
前記第１の分量計が前記キャビネット本体内の前記冷媒の分量が第１の事前設定分量よりも少ないことを検出すると、次いで前記貯蔵タンク内の前記冷媒を前記貯蔵タンクから前記キャビネット本体内へ移動する、冷却装置。
【請求項２】
第２の分量計および前記第２の分量計と通信可能に結合する警報機器をさらに備え、前記第２の分量計は前記貯蔵タンク内の前記冷媒の分量を検出するように構成され、
前記第２の分量計が前記貯蔵タンク内の前記冷媒の前記分量が第２の事前設定分量よりも少ないことを検出すると、次いで前記警報機器は警報を出す、請求項１に記載の冷却装置。
【請求項３】
前記冷媒を前記貯蔵タンクと前記キャビネット本体の間で駆動させる駆動機器をさらに備えた、請求項１に記載の冷却装置。
【請求項４】
前記第１の分量計が前記キャビネット本体内の前記冷媒の前記分量が前記第１の事前設定分量よりも少ないことを検出すると、次いで前記貯蔵タンクと前記キャビネット本体の接続は開かれ、前記駆動機器は前記貯蔵タンク内の前記冷媒を前記キャビネット本体内へ駆動させ、
前記第１の分量計が前記キャビネット本体内の前記冷媒の前記分量が第２の事前設定分量に達したのを検出すると、次いで前記貯蔵タンクと前記キャビネット本体の前記接続は閉じられ、前記駆動機器は前記キャビネット本体内の前記冷媒の駆動を停止し、前記第２の事前設定分量は前記第１の事前設定分量よりも多い、
請求項３に記載の冷却装置。
【請求項５】
前記第１の分量計が前記キャビネット本体内の前記冷媒の前記分量が第２の事前設定分量を超過したのを検出すると、次いで前記貯蔵タンクと前記キャビネット本体の接続は開き、前記駆動機器は前記キャビネット本体内の前記冷媒を前記貯蔵タンク内に駆動させ、
前記第１の分量計が前記キャビネット本体内の前記冷媒の前記分量が前記第２の事前設定分量まで復元したのを検出すると、次いで前記貯蔵タンクと前記キャビネット本体の前記接続は閉じられ、前記駆動機器は前記貯蔵タンク内の前記冷媒の駆動を停止し、前記第２の事前設定分量が前記第１の事前設定分量よりも多い、
請求項３に記載の冷却装置。
【請求項６】
前記貯蔵タンクと前記キャビネット本体の間の開閉接続の間を切り替えるように構成されたバルブをさらに備え、
前記第１の分量計が前記キャビネット本体内の前記冷媒の前記分量が前記第１の事前設定分量よりも少ないことを検出すると、次いで前記バルブは開かれ、その結果、前記貯蔵タンクと前記キャビネット本体の前記接続は開かれ、前記第１の分量計が前記キャビネット本体内の前記冷媒の前記分量が前記第１の事前設定分量に達したのを検出すると、次いで、前記バルブは閉じられる、請求項１に記載の冷却装置。
【請求項７】
前記キャビネット本体は前記冷媒を導くための第１の分流開口部を有し、前記貯蔵タンクは前記第１の分流開口部と連通する第２の分流開口部を有し、前記バルブは前記第１の分流開口部と前記第２の分流開口部の間、または前記第２の分流開口部に対応する位置の前記貯蔵タンク内のどちらかの位置に配置される、請求項６に記載の冷却装置。
【請求項８】
前記貯蔵タンクは前記キャビネット本体の上方に配置され、前記第２の分流開口部は前記第１の分流開口部の上方に設置される、請求項７に記載の冷却装置。
【請求項９】
熱交換機器をさらに備え、前記熱交換機器の一端部は前記キャビネット本体と結合し、前記熱交換機器の他端部は外部液体供給装置と結合し、前記熱交換機器は前記冷媒を駆動して前記キャビネット本体内を循環させ、前記冷媒により熱交換をするように構成されている、請求項１に記載の冷却装置。
【請求項１０】
被冷却機器を冷却するための冷却装置であって、
前記被冷却機器を少なくとも部分的に浸すための冷媒を含むように構成されたキャビネット本体であって、前記キャビネット本体は前記冷媒を受給するための第１の分流開口部および前記冷媒を排出するための第２の分流開口部を有する、キャビネット本体と、
濾過機器であって、前記第１の分流開口部と連通する第３の分流開口部および前記第２の分流開口部と連通する第４の分流開口部を有し、前記冷媒を濾過するために前記濾過機器を通して前記キャビネット本体内の前記冷媒を駆動するように構成されている、濾過機器と、
を備える、冷却装置。
【請求項１１】
前記濾過機器はフィルターおよび前記フィルターと結合した駆動ポンプを備え、前記駆動ポンプは前記冷媒を濾過するために前記フィルターを通して前記キャビネット本体内の前記冷媒を駆動するように構成され、前記フィルターおよび前記駆動ポンプの一方には前記第３の分流開口部が設けられ、前記フィルターおよび前記駆動ポンプの他方には前記第４の分流開口部が設けられている、請求項１０に記載の冷却装置。
【請求項１２】
前記第１の分流開口部と前記第３の分流開口部の間、または前記第２の分流開口部と前記第４の分流開口部の間の位置のいずれかに配置されているバルブをさらに備え、
前記キャビネット本体内の前記冷媒の純度が設定値よりも低いと、次いで、前記バルブは開き、前記駆動ポンプは濾過するために前記フィルターを通して前記キャビネット本体内の前記冷媒を駆動する、請求項１１に記載の冷却装置。
【請求項１３】
前記駆動ポンプと結合した貯蔵機器をさらに備え、前記駆動ポンプは前記キャビネット本体内の前記冷媒を前記貯蔵機器内へ駆動させるように構成されている、請求項１１に記載の冷却装置。
【請求項１４】
前記貯蔵機器と前記駆動ポンプの間に配置されたバルブをさらに備え、前記バルブが開くと、前記駆動ポンプは前記キャビネット本体内の前記冷媒を前記貯蔵機器内へ駆動させる、請求項１３に記載の冷却装置。
【請求項１５】
前記キャビネット本体の上部に配置されたカバーをさらに備え、前記カバーが閉状態であることを検出されると、次いで前記濾過機器は停止し、前記カバーが開状態であることを検出されると、次いで前記濾過機器が始動する、請求項１０に記載の冷却装置。
【請求項１６】
熱交換機器をさらに備え、前記熱交換機器の一端部は前記キャビネット本体と結合し、前記熱交換機器の他端部は外部液体供給装置と結合し、前記熱交換機器は前記冷媒を駆動して前記キャビネット本体内を循環させ、前記冷媒により熱交換をするように構成されている、請求項１０に記載の冷却装置。
【請求項１７】
被冷却機器を冷却するための冷却装置であって、
前記被冷却機器を少なくとも部分的に浸すための冷媒を含むように構成されたキャビネット本体であって、前記冷媒を受給するための第１の分流開口部および前記冷媒を排出するための第２の分流開口部が設けられた、キャビネット本体と、
前記キャビネット本体内の前記冷媒の分量を検出するための第１の分量計と、
前記キャビネット本体と結合し、前記冷媒を貯蔵する貯蔵タンクを備えた補充機器と、
濾過機器であって、前記第１の分流開口部と連通する第３の分流開口部および前記第２の分流開口部と連通する第４の分流開口部を有し、前記冷媒を濾過するために前記濾過機器を通して前記キャビネット本体内の前記冷媒を駆動するように構成された、濾過機器と、
を備え、
前記第１の分量計が前記キャビネット本体内の前記冷媒の分量が第１の事前設定分量を超過したのを検出すると、次いで前記濾過機器は前記キャビネット本体内の前記冷媒を前記貯蔵タンク内へ駆動する、冷却装置。
【請求項１８】
警報機器と通信可能に結合されている第２の分量計および前記警報機器をさらに備え、前記第２の分量計は前記貯蔵タンク内の前記冷媒の前記分量を検出するように構成されており、
前記第２の分量計が前記貯蔵タンク内の前記冷媒の前記分量が第２の事前設定分量よりも少ないことを検出すると、次いで前記警報機器は警報を出す、請求項１７に記載の冷却装置。
【請求項１９】
前記濾過機器はフィルターおよび前記フィルターと結合した駆動ポンプを備え、前記駆動ポンプは前記冷媒の濾過するために前記フィルターを通して前記キャビネット本体内の前記冷媒を駆動するように構成されており、前記フィルターおよび前記駆動ポンプの一方は前記第３の分流開口部を有し、前記フィルターおよび前記駆動ポンプの他方は前記第４の分流開口部を有する、請求項１７に記載の冷却装置。
【請求項２０】
前記第１の分流開口部と前記第３の分流開口部の間、または前記第２の分流開口部と前記第４の分流開口部の間の位置のいずれかに配置されているバルブをさらに備え、
前記キャビネット本体内の前記冷媒の純度が設定値よりも低いと、次いで、前記バルブは開き、前記駆動ポンプは前記冷媒の濾過をするために前記フィルターを通して前記キャビネット本体内の前記冷媒を駆動する、請求項１９に記載の冷却装置。
【請求項２１】
前記濾過機器は前記冷媒を前記貯蔵タンクと前記キャビネット本体の間で駆動させる駆動ポンプを備え、
前記第１の分量計が前記キャビネット本体内の前記冷媒の前記分量が前記第１の事前設定分量を超過したのを検出すると、次いで前記貯蔵タンクと前記キャビネット本体の間の接続は開かれ、前記駆動ポンプは前記キャビネット本体内の前記冷媒を前記貯蔵タンク内へ駆動させ、
前記第１の分量計が前記キャビネット本体内の前記冷媒の前記分量が前記第１の事前設定分量に復元したのを検出すると、次いで前記貯蔵タンクと前記キャビネット本体の間の接続は閉じられ、前記駆動ポンプは停止する、
請求項１７に記載の冷却装置。
【請求項２２】
前記第１の分量計が前記キャビネット本体内の前記冷媒の前記分量が第２の事前設定分量よりも少ないことを検出すると、次いで前記貯蔵タンクと前記キャビネット本体の間の接続は開かれ、前記濾過機器は前記貯蔵タンク内の前記冷媒を前記キャビネット本体内へ駆動させる、請求項１７に記載の冷却装置。
【請求項２３】
前記濾過機器は前記冷媒を前記貯蔵タンクと前記キャビネット本体の間で駆動させる駆動ポンプを備え、
前記第１の分量計が前記キャビネット本体内の前記冷媒の前記分量が前記第２の事前設定分量よりも少ないことを検出すると、次いで前記貯蔵タンクと前記キャビネット本体の間の接続は開かれ、前記駆動ポンプは前記貯蔵タンク内の前記冷媒を前記キャビネット本体内へ駆動させ、
前記第１の分量計が前記キャビネット本体内の前記冷媒の前記分量が前記第１の事前設定分量に達したのを検出すると、次いで前記貯蔵タンクと前記キャビネット本体の間の接続は閉じられ、前記駆動ポンプは停止し、前記第２の事前設定分量は前記第１の事前設定分量よりも少ない、
請求項２２に記載の冷却装置。
【請求項２４】
前記貯蔵タンクと前記キャビネット本体の間の開閉接続の間を切り替えるように構成されたバルブをさらに備え、
前記第１の分量計が前記キャビネット本体内の前記冷媒の前記分量が前記第１の事前設定分量よりも少ないことを検出すると、次いで、前記バルブは開かれ、その結果、前記貯蔵タンクと前記キャビネット本体の間の前記接続は開かれ、前記第１の分量計が前記キャビネット本体内の前記冷媒の前記分量が前記第２の事前設定分量に達したのを検出すると、次いで前記バルブは閉じられ、その結果、前記貯蔵タンクと前記キャビネット本体の間の接続は閉じる、請求項２２に記載の冷却装置。
【請求項２５】
前記貯蔵タンクは前記第１の分流開口部と連通する第５の分流開口部を有し、前記バルブは前記第１の分流開口部と前記第５の分流開口部の間、または第５の分流開口部に対応する位置の前記貯蔵タンク内のどちらかの位置に配置されている、請求項２４に記載の冷却装置。
【請求項２６】
前記貯蔵タンクは前記キャビネット本体の上方に配置され、前記第５の分流開口部は前記第１の分流開口部の上方に設置されている、請求項２５に記載の冷却装置。
【請求項２７】
熱交換機器をさらに備え、前記熱交換機器の一端部は前記キャビネット本体と結合し、前記熱交換機器の他端部は外部液体供給装置と結合し、前記熱交換機器は前記冷媒を駆動して前記キャビネット本体内を循環させ、前記冷媒により熱交換をするように構成されている、請求項１７に記載の冷却装置。
【手続補正２】
【補正対象書類名】明細書
【補正対象項目名】全文
【補正方法】変更
【補正の内容】
【発明の詳細な説明】
【技術分野】
【０００１】
本明細書は放熱装置の技術分野に関し、特に冷却装置に関する。
【背景技術】
【０００２】
本出願は「冷却装置」と題され、２０１７年１１月３日に出願された中国特許出願第２０１７１１０７１２７１．６号の優先権を主張し、その内容は参照によりその全体が本明細書に組み込まれる。
【０００３】
クラウド演算技術（例えば大規模分散システム技術）の急速な発展に伴い、サーバーの演算性能に対する要件は、増加している。サーバーの性能は向上しているが、指数関数的に電力消費も急速に増加している。データはデータセンターのサーバーの電力消費が過去１０年間でユニットごとに約１５倍に増加したことを示している。従来、サーバーの消費電力は一般的に１．５ｋＷ〜２ｋＷだった。しかしながら一部の現代のサーバーの消費電力は２０ｋＷ〜３０ｋＷに達している。
【０００４】
通常、データセンター内のサーバーは空調および空冷の方法によって冷却される。しかしながらユニットごとの電力消費は着実に増加しているため、多くのデータセンターが設ける冷却能力は、それらの限界に近づいている。したがって従来の空調および空冷の方法ではデータセンター内のサーバーの増加する冷却需要を満たすことができなかった。その上、空調および空冷は、大量のおよび増加するエネルギー、スペースおよびコストを消費する。
【発明の概要】
【０００５】
本開示はデータセンター内のサーバーの冷却効率を向上させる冷却装置を提供する。
【０００６】
本開示の実施形態の第１の態様によれば、被冷却機器を冷却する冷却装置は、
被冷却機器を少なくとも部分的に浸すための冷媒を含むように構成されたキャビネット本体と、
キャビネット本体内の冷媒の分量を検出するための第１の分量計と、
冷媒を貯蔵する貯蔵タンクを含む補充機器であって、貯蔵タンクおよびキャビネット本体が互いに連通可能に接続されている、補充機器と、を含み、
第１の分量計がキャビネット本体内の冷媒の分量が第１の事前設定分量よりも少ないことを検出すると、貯蔵タンクとキャビネット本体は相互連通し、その結果、貯蔵タンク内の冷媒がキャビネット本体内へ移動される。
【０００７】
さらに、第１の態様によれば、冷却装置は通信接続状態にある第２の分量計および警報機器を含み、第２の分量計は貯蔵タンク内の冷媒の分量を検出するように構成されており、
第２の分量計が貯蔵タンク内の冷媒の分量が第２の事前設定分量よりも少ないことを検出すると、警報機器は警報を出す。
【０００８】
さらに、第１の態様によれば、冷却装置は貯蔵タンクとキャビネット本体の間で冷媒を駆動させるための駆動機器を含む。
【０００９】
さらに、第１の態様によれば、第１の分量計がキャビネット本体内の冷媒の分量が第１の事前設定分量よりも少ないことを検出すると、貯蔵タンクとキャビネット本体は相互連通し（貯蔵タンクとキャビネット本体の接続が開かれる）、駆動機器は貯蔵タンク内の冷媒をキャビネット本体内へ駆動し、
第１の分量計がキャビネット本体内の冷媒の分量が第２の事前設定分量に達したのを検出すると、貯蔵タンクとキャビネット本体の間の接続が閉じ、駆動機器は停止し、ここで第２の事前設定分量は第１の事前設定分量よりも多い。
【００１０】
さらに、第１の態様によれば、第１の分量計がキャビネット本体内の冷媒の分量が第２の事前設定分量を超過したのを検出すると貯蔵タンクとキャビネット本体は相互連通し（貯蔵タンクとキャビネット本体の接続が開かれる）、駆動機器はキャビネット本体内の冷媒を駆動し貯蔵タンク内へ移動させ、
第１の分量計がキャビネット本体内の冷媒の分量が第２の事前設定分量に復元したのを検出すると、貯蔵タンクとキャビネット本体の間の接続は閉じ、駆動機器は停止し、ここで第２の事前設定分量は第１の事前設定分量よりも多い。
【００１１】
さらに、第１の態様によれば、冷却装置はバルブおよび制御システムを含み、バルブは貯蔵タンクとキャビネット本体の相互連通と相互閉鎖（開閉接続間）を切り替えるように構成され、制御システムは第１の分量計およびバルブの両方と通信状態にあり、
第１の分量計がキャビネット本体内の冷媒の分量が第１の事前設定分量よりも少ないことを検出すると、制御システムはバルブを制御して開き、その結果、貯蔵タンクとキャビネット本体は相互連通し（接続される）、第１の分量計がキャビネット本体内の冷媒の分量が第１の事前設定分量に達したのを検出すると、制御システムはバルブを制御して閉じ、その結果、貯蔵タンクとキャビネット本体は互いに対して閉じる（切断される）。
【００１２】
さらに、第１の態様によれば、キャビネット本体は冷媒を導入する第１の分流開口部を有し、貯蔵タンクは第１の分流開口部と連通する第２の分流開口部を有し、バルブは第１の分流開口部と第２の分流開口部の間に配置され、または貯蔵タンク内の第２の分流開口部に対応する位置に配置される。
【００１３】
さらに、第１の態様によれば、貯蔵タンクはキャビネット本体の上方に配置され、また第２の分流開口部は第１の分流開口部の上方に設置される。
【００１４】
さらに、第１の態様によれば、冷却装置は熱交換機器を含み、熱交換機器の一端部はキャビネット本体と連通（結合）状態にあり、また熱交換機器の他端部は外部液体供給装置と連通（結合）状態にあり、熱交換機器は冷媒を駆動しキャビネット本体内を循環させ冷媒により熱交換をするように構成されている。
【００１５】
本開示の実施形態の第２の態様によれば、被冷却機器を冷却するための冷却装置は、
被冷却機器を少なくとも部分的に浸すための冷媒を含むように構成されたキャビネット本体であって、キャビネット本体は冷媒を導入するための第１の分流開口部および冷媒を排出するための第２の分流開口部が設けられている、キャビネット本体と、
濾過機器であって、濾過機器は第１の分流開口部と連通する第３の分流開口部および第２の分流開口部と連通する第４の分流開口部が設けられ、濾過機器はキャビネット本体内の冷媒を駆動し、濾過するために濾過機器を通して流すように構成されている、濾過機器と、
を含む。
【００１６】
さらに、第２の態様によれば、濾過機器はフィルターおよびフィルターと連通（結合）して設けられた駆動ポンプを含み、駆動ポンプは濾過するためにフィルターを通してキャビネット本体内の冷媒を駆動するように構成され、フィルターおよび駆動ポンプの一方は第３の分流開口部を有し、またフィルターおよび駆動ポンプの他方は第４の分流開口部を有する。
【００１７】
さらに、第２の態様によれば、冷却装置は第１の検出システムおよびバルブを含み、第１の検出システムはキャビネット本体内の冷媒の純度を検出するように構成され、またバルブは第１の分流開口部と第３の分流開口部の間、または第２の分流開口部と第４の分流開口部の間に配置され、
第１の検出システムがキャビネット本体内の冷媒の純度が設定値よりも低いことを検出すると、バルブは開かれ、駆動ポンプは濾過するためにフィルターを通してキャビネット本体内の冷媒を駆動する。
【００１８】
さらに、第２の態様によれば、冷却装置は駆動ポンプと連通（結合）状態の貯蔵機器を含み、駆動ポンプはさらにキャビネット本体内の冷媒を貯蔵機器内へ駆動する。
【００１９】
さらに、第２の態様によれば、冷却装置は貯蔵機器と駆動ポンプの間のバルブが含まれ、バルブが開かれると、駆動ポンプはキャビネット本体内の冷媒を貯蔵機器内へ駆動させる。
【００２０】
さらに、第２の態様によれば、冷却装置はキャビネット本体の上部に配置されたカバー、濾過機器と通信接続状態にある制御システム、および制御システムと通信接続状態にある第２の検出システムを含み、第２の検出システムはカバーが開いているか否かを検出するように構成され、カバーが閉状態であることを検出することに応答して、第２の検出システムは制御システムへ第１の検出信号を送信し、制御システムは濾過機器を制御して停止し、カバーが開状態であることを検出することに応答して、第２の検出システムは制御システムへ第２の検出信号を送信し、制御システムは濾過機器を制御し稼働（始動）させる。
【００２１】
さらに、第２の態様によれば、冷却装置は熱交換機器を含み、熱交換機器の一端部はキャビネット本体と連通して設けられ、また熱交換機器の他端部は外部液体供給装置と連通（結合）状態にあり、熱交換機器は冷媒を駆動しキャビネット本体内を循環させ冷媒により熱交換をするように構成されている。
【００２２】
本開示の実施形態の第３の態様によれば、被冷却機器を冷却するための冷却装置は、
被冷却機器を少なくとも部分的に浸すための冷媒を含むように構成されたキャビネット本体であって、キャビネット本体は冷媒を導入（受給）するための第１の分流開口部および冷媒を排出するための第２の分流開口部が設けられている、キャビネット本体と、
キャビネット本体内の冷媒の分量を検出するための第１の分量計と、
冷媒を貯蔵する貯蔵タンクを含む補充機器であって、貯蔵タンクおよびキャビネット本体が互いに連通可能に接続（結合）されている、補充機器と、
濾過機器であって、濾過機器は第１の分流開口部と連通（結合）する第３の分流開口部および第２の分流開口部と連通（結合）する第４の分流開口部が設けられ、濾過機器はキャビネット本体内の冷媒を駆動し濾過するために濾過機器を通して流すように構成されている、濾過機器と、を含み、
第１の分量計がキャビネット本体内の冷媒の分量が第１の事前設定分量を超過したのを検出すると、貯蔵タンクとキャビネット本体は相互連通し（接続され）、濾過機器はキャビネット本体内の冷媒を貯蔵タンク内へ駆動する。
【００２３】
さらに、第３の態様によれば、冷却装置は通信状態にある第２の分量計および警報機器を含み、第２の分量計は貯蔵タンク内に設計され貯蔵タンク内の冷媒の分量を検出するように配置され、
第２の分量計が貯蔵タンク内の冷媒の分量が第２の事前設定分量よりも少ないことを検出すると、警報機器は警報を出す。
【００２４】
さらに、第３の態様によれば、濾過機器はフィルターおよびフィルターと連通（結合）して設けられた駆動ポンプを含み、駆動ポンプは濾過するためにフィルターを通してキャビネット本体内の冷媒を駆動するように構成され、フィルターおよび駆動ポンプの一方は第３の分流開口部を有し、またフィルターおよび駆動ポンプの他方は第４の分流開口部を有する。
【００２５】
さらに、第３の態様によれば、冷却装置は第１の検出システムおよびバルブを含み、第１の検出システムはキャビネット本体内の冷媒の純度を検出するように構成され、またバルブは第１の分流開口部と第３の分流開口部の間、または第２の分流開口部と第４の分流開口部の間に配置され、
第１の検出システムがキャビネット本体内の冷媒の純度が設定値よりも低いことを検出すると、バルブは開かれ、駆動ポンプは濾過するためにフィルターを通してキャビネット本体内の冷媒を駆動する。
【００２６】
さらに、第３の態様によれば、濾過機器は貯蔵タンクとキャビネット本体の間で冷媒を駆動させる駆動ポンプを含み、
第１の分量計がキャビネット本体内の冷媒の分量が第１の事前設定分量を超過したのを検出すると、貯蔵タンクとキャビネット本体は相互連通し（接続され）、駆動ポンプはキャビネット本体内の冷媒を貯蔵タンク内へ駆動し、
第１の分量計がキャビネット本体内の冷媒の分量が第１の事前設定分量に復元したのを検出すると、貯蔵タンクとキャビネット本体は互いに対して閉じ（切断され）、駆動ポンプは停止する。
【００２７】
さらに、第３の態様によれば、第１の分量計がキャビネット本体内の冷媒の分量が第２の事前設定分量よりも少ないことを検出すると、貯蔵タンクとキャビネット本体は相互連通し（接続され）、濾過機器は貯蔵タンク内の冷媒をキャビネット本体内へ駆動させる。
【００２８】
さらに、第３の態様によれば、濾過機器は冷媒を貯蔵タンクとキャビネット本体の間で駆動させるための駆動ポンプを含み、
第１の分量計がキャビネット本体内の冷媒の分量が第２の事前設定分量よりも少ないことを検出すると、貯蔵タンクとキャビネット本体は相互連通し（接続され）、駆動ポンプは貯蔵タンク内の冷媒をキャビネット本体内へ駆動させ、
第１の分量計がキャビネット本体内の冷媒の分量が第１の事前設定分量に達したのを検出すると、貯蔵タンクとキャビネット本体は互いに対して閉じ（切断され）、駆動ポンプは停止し、ここで第２の事前設定分量は第１の事前設定分量よりも少ない。
【００２９】
さらに、第３の態様によれば、冷却装置はバルブおよび制御システムをさらに含み、バルブは貯蔵タンクとキャビネット本体の相互連通と相互閉鎖（開閉接続間）を切り替えるように構成され、また制御システムは第１の分量計およびバルブの両方と通信状態にあり、
第１の分量計がキャビネット本体内の冷媒の分量が第１の事前設定分量よりも少ないことを検出すると、制御システムは第１のバルブを制御して開き、その結果、貯蔵タンクとキャビネット本体は相互連通し（接続され）、
第１の分量計がキャビネット本体内の冷媒の分量が第１の事前設定分量に達したのを検出すると、制御システムは第１のバルブを制御して閉じ、その結果、貯蔵タンクとキャビネット本体は互いに対して閉じる（切断される）。
【００３０】
さらに、第３の態様によれば、貯蔵タンクは第１の分流開口部と連通する第５の分流開口部を有し、またバルブは第１の分流開口部と第５の分流開口部の間に配置され、または貯蔵タンク内の第５の分流開口部に対応する位置に配置される。
【００３１】
さらに、第３の態様によれば、貯蔵タンクはキャビネット本体の上方に配置され、また第５の分流開口部は、第１の分流開口部の上方に設置される。
【００３２】
さらに、第３の態様によれば、冷却装置は熱交換機器を含み、熱交換機器の一端部はキャビネット本体と連通（結合）状態にあり、また熱交換機器の他端部は外部液体供給装置と連通（結合）状態にあり、熱交換機器は冷媒を駆動しキャビネット本体内を循環させ、冷媒により熱交換をするように構成されている。
【００３３】
上記の技術的解決策から分かるように、本開示の冷却装置では、一方ではキャビネット本体内の冷媒は使用中に徐々に消費されるので、第１の分量計がキャビネット本体内の冷媒の分量が第１の事前設定分量よりも少ないことを検出すると（例えば冷媒の分量が最小要件に達すると）、貯蔵タンクとキャビネット本体は相互連通し（接続され）、その結果、補充機器の貯蔵タンク内の冷媒をキャビネット本体内へ移動し、したがって手動操作することなくキャビネット本体へ冷媒を自動補充する機能を実現し、冷却装置の整備効率を向上し、データセンター内のサーバーの冷却装置の冷却効率をさらに向上させる。他方では使用中にキャビネット本体内の冷媒は汚染されるので、冷媒を濾過機器によって濾過し冷媒内の不純物を除去し定期的な冷媒の手動交換を必要とせず冷却装置の通常稼働を確保でき、冷却装置の整備効率を向上しデータセンター内のサーバーの冷却装置の冷却効率をさらに向上させる。
【図面の簡単な説明】
【００３４】
【図１】図１は本開示の実施形態の例による冷却装置の概略構造図である。
【図２】図２は本開示の実施形態の例による別の冷却装置の概略構造図である。
【図３】図３は本開示の実施形態の例によるさらに別の冷却装置の概略構造図である。
【発明を実施するための形態】
【００３５】
本明細書では、例示的な実施形態を詳細に説明し、その例を図面に示す。以下の説明が図面を参照するとき別段の指示がない限り、異なる図面の同じ番号は同じまたは同様の要素を指す。以下の実施形態で説明される実装は本開示と一致する全ての実装を表すものではない。代わりに、それらは本開示の添付の特許請求の範囲に詳述されるように、いくつかの態様と一致する機器および方法の単なる例である。
【００３６】
本開示で使用される用語は単に特定の実施形態を説明するためだけのものであり、本明細書を限定することを意図するものではない。本明細書および添付の特許請求の範囲で使用される単数形「a」、「said（前記）」、および「the（前記）」も他の意味が明示的に示されていない限り複数形を含むことも意図される。本明細書で使用される「and/or（および／または）」という用語は、１つまたは複数の関連する列挙された項目の任意または全ての可能な組み合わせを指し包含する。
【００３７】
本明細書では、「first（第１の）」、「second（第２の）」、「third（第３の）」などの用語を使用して様々なタイプの情報を説明し得るが、そのような情報はこれらの用語に限定されない。これらの用語は文脈によって同じタイプの情報を互いに区別するためにのみ使用される。例えば、文脈によって「第２の事前設定分量」という用語は、単に一つの事前設定分量を別の事前設定分量（例えば第１の事前設定分量）から区別するための方法として使用され、その逆もまた同様である。これと同じ「第２の事前設定分量」は、他の文脈でこれを２つの他の事前設定分量から区別する必要があれば「第３の事前設定分量」として呼んでもよい。また、例えば本明細書で使用される「if（もし〜ならば）」という単語は「at the time of（の際に）」または「when（の場合）」または「in response to a determination（決定に応答して）」と解釈し得る。
【００３８】
本開示はデータセンター内のサーバーの冷却効率を向上するための冷却装置を提供する。以下、本明細書の冷却装置について図面を参照して詳細を説明する。以下の実施形態および実装における特徴は互いに組み合わせ得る。
【００３９】
実施形態１
図１を参照すると、本開示の実施形態は被冷却機器９０を冷却するための単相浸液冷却技術を使用した冷却装置１を提供する。被冷却機器９０はデータセンター内のサーバーであり得る、またはそれは冷却の必要なその他の発熱装置であり得る。冷却装置１はキャビネット本体１０、第１の分量計１１０、および補充機器２０を含む。キャビネット本体１０は差込部品１００が設けられることがあり、また差込部品１００内へ、シート状の構造であり得る被冷却機器９０が順次差し込まれる。キャビネット本体１０は被冷却機器９０を少なくとも部分的に浸すために非伝導性の冷媒８０を含むことがあり、第１の分量計１１０はキャビネット本体１０内の冷媒８０の分量または嵩を検出するように構成されている。補充機器２０は冷媒８０を貯蔵するために貯蔵タンク２１０を含む。貯蔵タンク２１０およびキャビネット本体１０は互いに連通可能に接続（結合）される。第１の分量計１１０がキャビネット本体１０内の冷媒８０の分量が第１の事前設定分量よりも少ないことを検出すると、貯蔵タンク２１０とキャビネット本体１０は相互連通し、その結果、キャビネット本体１０内へ貯蔵タンク２１０内の冷媒８０を移動させる。冷媒８０は被冷却機器９０を完全に浸してもよく、またはそれは被冷却機器９０を部分的に浸してもよく、浸す嵩は実際の要求に応じて設定され得る。冷媒８０は気体媒体、液体媒体、または固液混合媒体でもよく、これらもまた実際の要求に応じて選択され得る。第１の分量計１１０は接触型または非接触型の分量計でもよく、実際の要求による。対応する変更は異なる冷媒８０に応じて行い得る。例えば冷媒８０が液体である場合、第１の分量計１１０は液面計であり得る。この実施形態では冷媒８０は被冷却機器９０を完全に浸し、また冷媒８０は液体電子フッ素化液体である。第１の分量計１１０はキャビネット本体１０内に配置されている。
【００４０】
上記の技術的解決策から分かるように本開示の冷却装置１では、使用中にキャビネット本体１０内の冷媒８０が徐々に消費されるので、第１の分量計１１０が冷媒の分量または嵩が第１の事前設定分量または嵩よりも少ないことを検出すると（例えばキャビネット本体１０内の冷媒の分量または嵩が最小要件に達すると）、貯蔵タンク２１０とキャビネット本体１０は相互連通し（例えば以下にさらに説明するように、これらはお互いにバルブが開くことによって接続される）、その結果、補充機器２０の貯蔵タンク２１０内の冷媒８０をキャビネット本体１０内へ移動させて、したがって手動操作または関与することなくキャビネット本体１０内の冷媒を自動補充し、これは冷却装置１の整備効率を向上させデータセンター内のサーバーの冷却装置１の冷却効率をさらに向上させる。
【００４１】
任意の実装では本開示の冷却装置１は第１のバルブ５１０および制御システム（不図示）をさらに含む。第１のバルブ５１０は貯蔵タンク２１０とキャビネット本体１０の相互連通と相互閉鎖を切り替えるように構成され（すなわち、バルブ５１０は開くまたは閉じる状態にでき、バルブ５１０は、貯蔵タンク２１０とキャビネット本体１０の間の接続の開閉の間を切り替えるように構成されている）、制御システムは第１の分量計１１０および第１のバルブ５１０の両方と通信（結合）にある。キャビネット本体１０内の冷媒８０の分量が第１の事前設定分量または嵩よりも少ないことを検出するのに応答して、第１の分量計１１０は制御システムへ検出信号を送信し、制御システムは第１のバルブ５１０を制御して開き、その結果、貯蔵タンク２１０とキャビネット本体１０は相互連通する（すなわち、貯蔵タンク２１０とキャビネット本体１０の間の接続は開かれる）。キャビネット本体１０内の冷媒８０の分量または嵩が第１の事前設定分量または嵩に達したのを検出するのに応答して、第１の分量計１１０は制御システムへ検出信号を送信し、制御システムは第１のバルブ５１０を制御して閉じ、その結果、貯蔵タンク２１０とキャビネット本体１０の間の接続は閉じる。制御システムは第１のバルブ５１０を制御して開閉し、したがってそれぞれ貯蔵タンク２１０の冷媒８０を用いてキャビネット本体１０に自動的に補充する、またはキャビネット本体１０の補充を停止するという目的を達成する。任意選択で第１のバルブ５１０は電磁バルブである。
【００４２】
任意の実装では、本開示の冷却装置１は通信状態にある第２の分量計２２０および警報機器（不図示）をさらに含み、第２の分量計２２０は貯蔵タンク２１０内の冷媒８０の分量または嵩を検出するように構成されている。第２の分量計２２０が貯蔵タンク２１０内の冷媒８０の分量または嵩が第２の事前設定分量または嵩よりも少ないことを検出すると、警報機器は警報を出し、さらに貯蔵タンク２１０を補充するようにオペレーターに通知する目的を達成する。任意選択で、制御システムは第２の分量計２２０および警報機器の両方と通信状態にある。貯蔵タンク２１０内の冷媒８０の分量または嵩が第２の事前設定分量または嵩よりも少ないことを検出するのに応答して、第２の分量計２２０は制御システムへ検出信号を送信し、制御システムは警報機器を制御して警報を起こし、したがって貯蔵タンク２１０を補充するようにオペレーターに通知する目的を達成する。任意選択で第２の分量計２２０は貯蔵タンク２１０内に配置される。第２の分量計２２０は接触型または非接触型の分量計でもよく、実際の要求にまた応じる。対応する変更は異なる冷媒８０に応じて行い得る。例えば冷媒８０が液体である場合、第２の分量計２２０は液面計であり得る。
【００４３】
任意の実装では、本開示の冷却装置１は冷媒８０を貯蔵タンク２１０とキャビネット本体１０の間で駆動させる駆動機器（図1で示さないが）をさらに含み、すなわち駆動機器は貯蔵タンク２１０内の冷媒８０をキャビネット本体１０内へ駆動させることができるだけでなく、キャビネット本体１０内の冷媒８０を貯蔵タンク２１０内へ駆動させることもできる。任意選択で駆動機器はポンプであってもよく、制御システムはポンプを制御して稼働または停止し得る。キャビネット本体１０内の冷媒８０を補充する必要がある場合、ポンプの駆動により貯蔵タンク２１０内の冷媒８０をキャビネット本体１０内へ移動することができる。キャビネット本体１０内へ移動した冷媒８０が上限を超過する場合、またはキャビネット本体１０内の冷媒８０を空にする必要がある場合（例えば、移転の目的で）、ポンプの駆動によりキャビネット本体１０内の冷媒８０を貯蔵タンク２１０内へ移動することができる。任意選択で駆動機器は貯蔵タンク２１０内に配置される。
【００４４】
キャビネット本体１０内の冷媒８０の分量が第１の事前設定分量または嵩よりも少ないことを検出するのに応答して、第１の分量計１１０は制御システムへ検出信号を送信し、制御システムは第１のバルブ５１０を制御して開き、その結果、貯蔵タンク２１０とキャビネット本体１０は相互連通し（接続され）、駆動機器は作動し、その結果、駆動機器は貯蔵タンク２１０内の冷媒８０をキャビネット本体１０内へ駆動させ、このように、キャビネット本体１０は自動的に補充される。キャビネット本体１０内の冷媒８０の分量または嵩が第３の事前設定分量または嵩に達したのを検出するのに応答して、第１の分量計１１０は制御システムへ検出信号を送信し、制御システムは第１のバルブ５１０を制御して閉じ、その結果、貯蔵タンク２１０とキャビネット本体１０は互いに対して、もはや接続せず、駆動機器は停止し、その結果、駆動機器は貯蔵タンク２１０内の冷媒８０をキャビネット本体１０内へ駆動させるのを停止し、このようにしてキャビネット本体１０への補充を停止する。ここでの第３の事前設定分量または嵩は第１の事前設定分量／嵩よりも多く、第１の事前設定分量／嵩はキャビネット本体１０内の冷媒８０の許容分量／嵩範囲の下限を示し、第３の事前設定分量／嵩はキャビネット本体１０内の冷媒８０の許容分量／嵩範囲の上限を示すことを意味している。
【００４５】
キャビネット本体１０内の冷媒８０の分量が第３の事前設定分量または嵩よりも多いことを検出するのに応答して、第１の分量計１１０は制御システムへ検出信号を送信し、制御システムは第１のバルブ５１０を制御して開き、その結果、貯蔵タンク２１０とキャビネット本体１０は相互連通し駆動機器は作動し、その結果、駆動機器はキャビネット本体１０内の冷媒８０を貯蔵タンク２１０内へ駆動させ、過剰なキャビネット本体１０内の冷媒８０の溢流のリスクを回避するために、過剰なキャビネット本体１０内の冷媒８０を貯蔵タンク２１０内へ駆動させる（例えば、くみ上げる）。キャビネット本体１０内の冷媒８０の分量または嵩が第３の事前設定分量／嵩に復元したのを検出するのに応答して、第１の分量計１１０は制御システムへ検出信号を送信し、制御システムは第１のバルブ５１０を制御して閉じ、その結果、貯蔵タンク２１０とキャビネット本体１０は互いに対して、もはや接続せず、また駆動機器は停止し、その結果、駆動機器はキャビネット本体１０内の冷媒８０を貯蔵タンク２１０内へ駆動させるのを停止し、このようにしてキャビネット本体１０から冷媒８０をくみ上げるのを停止する。
【００４６】
キャビネット本体１０内の冷媒８０を空にするならば、第１のバルブ５１０を制御システムによって直接制御し開くことができ、その結果、貯蔵タンク２１０とキャビネット本体１０は相互連通し、また駆動機器は作動し、その結果、キャビネット本体１０内の冷媒８０が完全にくみ上がるまで駆動機器はキャビネット本体１０内の冷媒８０を貯蔵タンク２１０内へ駆動させ、次いで第１のバルブ５１０は制御システムによって閉じられ、その結果、貯蔵タンク２１０とキャビネット本体１０は互いに対して接続せず、また駆動機器はキャビネット本体１０から冷媒８０をくみ上げるのを停止する。
【００４７】
任意の実装では、キャビネット本体１０は冷媒８０を導入するための第１の分流開口部１０１が設けられ、また貯蔵タンク２１０は第１の分流開口部１０１と連通する第２の分流開口部２１１が設けられ、第１のバルブ５１０は第１の分流開口部１０１と第２の分流開口部２１１の間に配置され、または貯蔵タンク２１０内の第２の分流開口部２１１に対応する位置に配置される。第１の分流開口部１０１および第２の分流開口部２１１は導管を通して接続し得る。さらに貯蔵タンク２１０はキャビネット本体１０の上方に配置され、第２の分流開口部２１１は第１の分流開口部１０１の上方に設置され、その結果、貯蔵タンク２１０内の冷媒８０の液面はキャビネット本体１０内の冷媒８０の液面よりも高い。キャビネット本体１０内の冷媒８０を補充する必要がある場合、第１のバルブ５１０は開き、その結果、貯蔵タンク２１０内の冷媒８０は重力下でキャビネット本体１０内へ直接流れることができる。
【００４８】
任意の実装方法では、本開示の冷却装置１は熱交換機器４０をさらに含み、熱交換機器４０の一端部はキャビネット本体１０と連通（結合）状態にある。熱交換機器４０の他端部は外部液体供給装置（不図示）と連通（結合）状態にある。熱交換機器４０は冷媒８０を駆動してキャビネット本体１０を循環させるように構成され、また冷媒８０により熱交換をするようにも構成されている。熱交換機器４０は冷媒８０を駆動し冷却装置１のキャビネット本体１０内を循環させ被冷却機器９０から熱を取り除く。熱交換機器４０は外部液体供給装置により熱交換し、その結果、冷媒８０は再び低温状態に達し、冷却装置１のキャビネット本体１０内へ戻り循環し被冷却機器９０を冷却し、このようにして被冷却機器９０から熱を循環的および連続的に取り除くおよび排出する目的を達成する。
【００４９】
さらに、キャビネット本体１０は冷媒８０を導入（受給）するための分流入口１０２および冷媒８０を排出するための分流出口１０３を有している。熱交換機器４０は熱交換器４１０および分流ポンプ４２０を含む。熱交換器４１０は第１の循環ループを通して冷却装置１の冷却本体１０と接続され、第２の循環ループを通して外部液体供給装置と接続されている。第１の循環ループは第１の導管４３０および第２の導管４４０を含み、第２の循環ループは第３の導管４５０および第４の導管４６０を含む。第１の導管４３０は冷却装置１のキャビネット本体１０の分流入口１０２と連通状態にあり、第２の導管４４０は冷却装置１のキャビネット本体１０の分流出口１０３と連通状態にあり、第３の導管４５０および第４の導管４６０は両方とも、外部液体供給装置と連通状態にある。任意選択で熱交換機器４０はさらに流量計４７０を含んでもよく、流量計４７０は分流ポンプ４２０とキャビネット本体１０の間に配置され、および冷媒８０の流量を検出するために使用され得る。分流ポンプ４２０の圧力は流量計４７０の検出結果に応じて調整され、それにより冷媒８０の流量を調整する目的を達成し得る。第１の導管４３０および第２の導管４４０の各々は冷媒８０が熱交換機器４０内を循環する導管を開閉するためのバルブ４８０が設けられ得る。
【００５０】
本開示の冷却装置１が稼働すると、ポンプは冷媒８０を駆動し第１の循環ループを通して冷却装置１のキャビネット本体１０内を循環させ、冷媒８０はキャビネット本体１０内の循環を通して被冷却機器９０から熱を取り除き、熱交換機器４０の熱交換器４１０に入る。外部液体供給装置は第２の循環ループ内に冷却水を循環させることができ、被冷却機器９０の熱を運ぶ冷媒８０は外部液体供給装置によって供給された冷却水によって熱交換器４１０内で熱交換し冷媒８０により運ばれた熱を放出し、その結果、冷媒８０は再び低温状態に達し得て、これは冷却装置１内へ戻り循環後、再び被冷却機器９０を冷却し、このようにして被冷却機器９０の熱を循環的および連続的に排出する目的を達成することができる。
【００５１】
実施形態２
図２を参照すると、本開示の実施形態は被冷却機器９０を冷却するための単相浸液冷却技術を使用した冷却装置１を提供する。被冷却機器９０はデータセンター内のサーバーであり得る、またはそれは冷却の必要なその他の発熱装置であり得る。冷却装置１はキャビネット本体１０および濾過機器３０を含む。キャビネット本体１０は差込部品１００が設けられることがあり、また差込部品１００内へはシート状の構造であり得る被冷却機器９０が順次差し込まれる。キャビネット本体１０は被冷却機器９０を少なくとも部分的に浸すための冷媒８０を含み得て、キャビネット本体１０は冷媒８０を導入（受給）するための第１の分流開口部１０１を有し、および冷媒８０を排出するための第３の分流開口部１０４も有する。濾過機器３０はキャビネット本体１０の第１の分流開口部１０１と連通する第４の分流開口部３０１を有し、および第３の分流開口部１０４と連通する第５の分流開口部３０２も有する。濾過機器３０はキャビネット本体１０内の冷媒８０を駆動して濾過するために濾過機器３０を通して流す。冷媒８０は被冷却機器９０を完全に浸してもよく、またはそれは被冷却機器９０を部分的に浸してもよく、浸す嵩は実際の要求に応じて設定され得る。冷媒８０は、気体媒体、液体媒体、または固液混合媒体でもよく、これらもまた実際の要求に応じて選択され得る。この実施形態では、冷媒８０は被冷却機器９０を完全に浸し、および冷媒８０は液体電子フッ素化液体である。第３の分流開口部１０４はキャビネット本体１０の下部に配置され、第１の分流開口部１０１および第４の分流開口部３０１は導管によって接続され得る、また第３の分流開口部１０４および第５の分流開口部３０２は導管によって接続され得る。
【００５２】
上記の技術的解決策から分かるように本実施形態の冷却装置１では、もしキャビネット本体１０内の冷媒８０が使用中に汚染されるならば、冷媒８０は濾過機器３０によって濾過し冷媒８０の不純物を除去することができ、冷却装置１は定期的な冷媒８０の手動交換の必要なく適切に稼働できることを確保し、冷却装置１の整備効率は向上し、データセンター内のサーバーの冷却装置１の冷却効率はさらに向上する。
【００５３】
任意の実装では、濾過機器３０はフィルター３１０およびフィルター３１０と連通（結合）状態にある駆動ポンプ３２０を含む。駆動ポンプ３２０はキャビネット本体１０内の冷媒８０を駆動して濾過するためにフィルター３１０を通して流すように構成されている。フィルター３１０または駆動ポンプ３２０の一方は第４の分流開口部３０１を含み、フィルター３１０および駆動ポンプ３２０の他方は第５の分流開口部３０２を含む。図２の例では駆動ポンプ３２０はキャビネット本体１０の第３の分流開口部１０４の近くに設置され、フィルター３１０はキャビネット本体１０の第１の分流開口部１０１の近くに設置され、よって第４の分流開口部３０１はフィルター３１０内に配置され、第５の分流開口部３０２は駆動ポンプ３２０内に配置される。もしキャビネット本体１０内の冷媒８０が使用中に汚染されるならば、キャビネット本体１０内の冷媒８０は駆動ポンプ３２０により駆動されフィルター３１０を通り流れることができ、その結果、冷媒８０の不純物は除去され、このようにして冷却装置１の通常稼働を確保する。
【００５４】
任意の実装では本開示の冷却装置１は、制御システム（不図示）、第１の検出システム（不図示）、および第２のバルブ５２０をさらに含む。一つの実施形態では、第２のバルブ５２０は電磁バルブであり、また制御システムは駆動ポンプ３２０、第１の検出システム、および第２のバルブ５２０と通信状態にある。第１の検出システムはキャビネット本体１０内の冷媒８０の純度を検出するように構成され、また第２のバルブ５２０は第１の分流開口部１０１と第４の分流開口部３０１の間に配置される、または第３の分流開口部１０４と第５の分流開口部３０２の間に配置される。図２の例では第２のバルブ５２０は第１の分流開口部１０１と第４の分流開口部３０１の間に配置される。
【００５５】
第１の検出システムがキャビネット本体１０内の冷媒８０の純度が設定値よりも低いことを検出すると、キャビネット本体１０内の冷媒８０の純度は要件に満たないことが示され、そこで次に、第１の検出システムは検出信号制御システムへ検出信号を送信し、制御システムは第２のバルブ５２０を制御して開き、そして駆動ポンプ３２０を作動させ、その結果、駆動ポンプ３２０はキャビネット本体１０内の冷媒８０を濾過するためにフィルター３１０を通して駆動し、このようにしてキャビネット本体１０内の冷媒８０は自動的に濾過される。第１の検出システムがキャビネット本体１０内の冷媒８０の純度が設定値に達したのを検出すると、キャビネット本体１０内の冷媒８０の純度は要件を満たしていることが示され、そこで次に第１の検出システムは検出信号制御システムへ検出信号を送信し、制御システムは第２のバルブ５２０を制御して閉じ、そして駆動ポンプ３２０を停止し、その結果、駆動ポンプ３２０はフィルター３１０を通してキャビネット本体１０内の冷媒８０を駆動するのを停止する。制御システムはまた第２のバルブ５２０を開くように制御し駆動ポンプ３２０を常に稼働状態になるように制御し、その結果、駆動ポンプ３２０は濾過するためにフィルター３１０を通してキャビネット本体１０内の冷媒８０を連続的に駆動させ、このようにしてキャビネット本体１０内の冷媒８０を常に濾過することが確保される。
【００５６】
任意の実装では、本開示の冷却装置１は駆動ポンプ３２０と連通（結合）状態にある貯蔵機器７０をさらに含み、駆動ポンプ３２０はキャビネット本体１０内の冷媒８０を駆動し貯蔵機器７０内に駆動させるようにさらに構成されている。キャビネット本体１０内の冷媒８０を空にする必要がある場合（例えば、移転の目的で）、駆動ポンプ３２０の駆動によりキャビネット本体１０内の冷媒８０を貯蔵機器７０内へ移動させる。
【００５７】
さらに、本開示の冷却装置１は貯蔵機器７０と駆動ポンプ３２０の間に配置された第３のバルブ５３０を含む。一つの実施形態では第３のバルブ５３０は電磁バルブである。キャビネット本体１０内の冷媒８０を空にする必要がある場合、第３のバルブ５３０は制御システムによって制御され開くことができ、駆動ポンプ３２０は作動し、その結果、駆動ポンプ３２０はキャビネット本体１０内の冷媒８０が完全にくみ上がるまでキャビネット本体１０内の冷媒８０を貯蔵機器７０内に駆動させる。次いで、第３のバルブ５３０は制御システムによって閉じられ、駆動ポンプ３２０もまた停止する。
【００５８】
任意の実装では本開示の冷却装置１は、キャビネット本体１０の上部に配置されたカバー、濾過機器３０と通信状態にある制御システム、および制御システムと通信状態にある第２の検出システム（不図示）をさらに含む。第２の検出システムはカバーの状態（開／閉）を検出するように構成されている。第２の検出システムはカバーが閉状態であることを検出すると制御システムへ第１の検出信号を送信し、制御システムは、濾過機器３０を制御して停止させる。第２の検出システムは前記カバーが開状態であることを検出すると制御システムへ第２の検出信号を送信し、制御システムは濾過機器３０をコントロールして稼働させる。換言すれば、キャビネット本体１０のカバーの状態（開くまたは閉じる）が濾過機器３０の稼働始動の条件として用いられる。通常の冷却および熱放散のためにキャビネット本体１０のカバーが閉じられると、濾過機器３０は稼働する。濾過機器３０はキャビネット本体１０のカバーが開いている時にのみ冷媒８０の濾過を開始し、これはエネルギー消費を低減することができる。
【００５９】
任意の実装では本開示の冷却装置１は、熱交換機器４０をさらに含む。熱交換機器４０の一端部はキャビネット本体１０と連通（結合）状態にあり、また熱交換機器４０の他端部は外部液体供給装置（不図示）と連通（結合）状態にある。熱交換機器４０は冷媒８０を駆動してキャビネット本体１０を循環させるように構成され、また冷媒８０により熱交換をするようにも構成されている。熱交換機器４０は冷媒８０を駆動し冷却装置１のキャビネット本体１０内を循環させ被冷却機器９０から熱を取り除き、熱交換機器４０は外部液体供給装置により熱交換し、その結果、冷媒８０は再び低温状態に達し、冷却装置１のキャビネット本体１０内へ戻り循環し被冷却機器９０を冷却し、このようにして被冷却機器９０から熱を循環的および連続的に取り除くおよび排出する目的を達成する。
【００６０】
さらに、キャビネット本体１０は冷媒８０を導入（受給）するための分流入口１０２および冷媒８０を排出するための分流出口１０３もまた有する。熱交換機器４０は熱交換器４１０および分流ポンプ４２０を含む。熱交換器４１０は第１の循環ループを通して冷却装置１の冷却本体１０と接続し第２の循環ループを通して外部液体供給装置と接続している。第１の循環ループは第１の導管４３０および第２の導管４４０を含み、第２の循環ループは第３の導管４５０および第４の導管４６０を含む。第１の導管４３０は冷却装置１のキャビネット本体１０の分流入口１０２と連通状態にあり、第２の導管４４０は冷却装置１のキャビネット本体１０の分流出口１０３と連通状態にあり、第３の導管４５０および第４の導管４６０は両方とも、外部液体供給装置と連通状態にある。任意選択で熱交換機器４０はさらに流量計４７０を含んでもよく、流量計４７０は分流ポンプ４２０とキャビネット本体１０の間に配置され、および冷媒８０の流量を検出するために使用され得る。分流ポンプ４２０の圧力は流量計４７０の検出結果に応じて調整され、冷媒８０の流量を調整する目的を達成し得る。第１の導管４３０および第２の導管４４０の各々は冷媒８０が熱交換機器４０内を循環する導管を開閉するためのバルブ４８０が設けられ得る。
【００６１】
本開示の冷却装置１が稼働するとポンプは冷媒８０を駆動し第１の循環ループを通して冷却装置１のキャビネット本体１０内を循環させ、冷媒８０はキャビネット本体１０内の循環を通して被冷却機器９０から熱を取り除き、熱交換機器４０の熱交換器４１０に入る。外部液体供給装置は第２の循環ループ内に循環的に冷却水を供給することができ、また被冷却機器９０から熱を運ぶ冷媒８０は外部液体供給装置によって供給された冷却水によって熱交換器４１０内で熱交換し、冷媒８０により運ばれた熱を放出し、その結果、冷媒８０は再び低温状態に達し得て、これは冷却装置１内を循環後、再び被冷却機器９０冷却し、このようにして被冷却機器９０の熱を循環的および連続的に排出する目的を達成することができる。
【００６２】
実施形態３
図３を参照すると、本開示の実施形態は被冷却機器９０を冷却するための単相浸液冷却技術を使用した冷却装置１を提供する。被冷却機器９０はデータセンター内のサーバーであり得る、またはそれは冷却の必要なその他の発熱装置であり得る。冷却装置１はキャビネット本体１０、第１の分量計１１０、補充機器２０、および濾過機器３０を含む。キャビネット本体１０は差込部品１００が設けられることがあり、また差込部品１００内へはシート状の構造であり得る被冷却機器９０が順次差し込まれる。キャビネット本体１０は被冷却機器９０を少なくとも部分的に浸すための冷媒８０を含み得る。キャビネット本体１０は冷媒８０を導入（受給）するための第１の分流開口部１０１を有し、および冷媒８０を排出するための第３の分流開口部１０４も有する。第１の分量計１１０はキャビネット本体１０内の冷媒８０の分量または嵩を検出するように構成されている。補充機器２０は冷媒８０を貯蔵するための貯蔵タンク２１０を含む。貯蔵タンク２１０およびキャビネット本体１０は互いに通信可能に接続（結合）される。濾過機器３０はキャビネット本体１０の第１の分流開口部１０１と連通する第４の分流開口部３０１を有し、および第３の分流開口部１０４と連通する第５の分流開口部３０２も有する。濾過機器３０は濾過するために濾過機器３０を通してキャビネット本体１０内の冷媒８０を駆動する。第１の分量計１１０がキャビネット本体１０内の冷媒８０の分量または嵩が第３の事前設定分量または嵩よりも多いことを検出すると、貯蔵タンク２１０とキャビネット本体１０は相互連通し（すなわち、貯蔵タンクとキャビネット本体の間の接続が開かれる）、濾過機器３０はキャビネット本体１０内の冷媒８０を貯蔵タンク２１０内へ駆動させる。冷媒８０は被冷却機器９０を完全に浸してもよく、またはそれは被冷却機器９０を部分的に浸してもよく、浸す嵩は実際の要求に応じて設定され得る。冷媒８０は、気体媒体、液体媒体、または固液混合媒体でもよく、これらもまた実際の要求に応じて選択され得る。第１の分量計１１０は接触型または非接触型の分量計でもよく、実際の要求による。対応する変更は異なる冷媒８０に応じて行い得る。例えば冷媒８０が液体である場合、第１の分量計１１０は液面計であり得る。この実施形態では、冷媒８０は被冷却機器９０を完全に浸し、および冷媒８０は液体電子フッ素化液体である。第１の分量計１１０はキャビネット本体内に配置されている。第３の分流開口部１０４はキャビネット本体１０の下部に配置され、第１の分流開口部１０１および第４の分流開口部３０１は導管によって接続され得て、第３の分流開口部１０４および第５の分流開口部３０２は導管によって接続され得る。
【００６３】
上述の技術的解決策から、本実施形態の冷却装置１は補充機器２０および濾過機器３０を組み合わせるということが分かる。キャビネット本体１０内の冷媒８０が第３の事前設定分量または嵩を超過すると（例えば、分量が過充填になると）、貯蔵タンク２１０とキャビネット本体１０は相互連通し、濾過機器３０はキャビネット本体１０内の冷媒８０を貯蔵タンク２１０内へ駆動させ、このようにして過剰なキャビネット本体１０内への冷媒８０の溢流のリスクを回避する。
【００６４】
任意の実装では、本開示の冷却装置１は通信状態にある第２の分量計２２０および警報機器をさらに含む。第２の分量計２２０は貯蔵タンク２１０内の冷媒８０の分量または嵩を検出するように構成されている。第２の分量計２２０が貯蔵タンク２１０内の冷媒８０の分量または嵩が第２の事前設定分量または嵩よりも少ないことを検出すると、警報機器は警報を出し、さらに貯蔵タンク２１０を補充するようにオペレーターに通知する目的を達成する。任意選択で制御システムは第２の分量計２２０および警報機器の両方と通信状態にある。貯蔵タンク２１０内の冷媒８０の分量または嵩が第２の事前設定分量または嵩よりも少ないことを検出するのに応答して、第２の分量計２２０は制御システムへ検出信号を送信し、制御システムは警報機器を制御して警報を発する。したがって貯蔵タンク２１０を補充するようにオペレーターに通知する目的を達成する。任意選択で第２の分量計２２０は貯蔵タンク２１０内に配置される。第２の分量計２２０は接触型または非接触型の分量計でもよく、実際の要求による。対応する変更は異なる冷媒８０に応じて行い得る。例えば冷媒８０が液体である場合、第２の分量計２２０は液面計であり得る。
【００６５】
任意の実装では、濾過機器３０はフィルター３１０およびフィルター３１０と連通（結合）状態にある駆動ポンプ３２０を含む。駆動ポンプ３２０は濾過するためにフィルター３１０を通してキャビネット本体１０内の冷媒８０を駆動するように構成されている。フィルター３１０または駆動ポンプ３２０のどちらかは第４の分流開口部３０１を有し、フィルター３１０および駆動ポンプ３２０の他方は第５の分流開口部３０２を有する。図３の例では駆動ポンプ３２０はキャビネット本体１０の第３の分流開口部１０４の近くに設置され、またフィルター３１０はキャビネット本体１０の第１の分流開口部１０１の近くに設置され、よって第４の分流開口部３０１はフィルター３１０内に配置され、第５の分流開口部３０２は駆動ポンプ３２０内に配置される。もしキャビネット本体１０内の冷媒８０が使用中に汚染されるならば、キャビネット本体１０内の冷媒８０は濾過するためにフィルター３１０を通り駆動ポンプ３２０により駆動することができ、その結果、冷媒８０の不純物は除去され、このようにして冷却装置１の通常稼働を確保する。もしキャビネット本体１０内の冷媒８０が使用中に汚染されるならば、冷媒８０は濾過機器３０によって濾過し冷媒８０の不純物を除去することができ、定期的な冷媒８０の手動交換の必要なく冷却装置１の通常稼働を確保し、これは冷却装置１の整備効率を向上させデータセンター内のサーバーの冷却装置１の冷却効率をさらに向上させる。
【００６６】
任意の実装では、本開示の冷却装置１は、制御システム（不図示）、第１の検出システム（不図示）、および第２のバルブ５２０をさらに含む。一つの実施形態では、第２のバルブ５２０は電磁バルブであり、また制御システムは濾過機器３０の駆動ポンプ３２０、第１の検出システム、および第２のバルブ５２０と通信状態にある。第１の検出システムはキャビネット本体１０内の冷媒８０の純度を検出するように構成され、第２のバルブ５２０は第１の分流開口部１０１と第４の分流開口部３０１の間、または第３の分流開口部１０４と第５の分流開口部３０２の間に配置される。図３の例では第２のバルブ５２０は第１の分流開口部１０１と第４の分流開口部３０１の間に配置される。
【００６７】
第１の検出システムがキャビネット本体１０内の冷媒８０の純度が設定値よりも低いことを検出すると、キャビネット本体１０内の冷媒８０の純度が要件に満たないことが示され、そこで次に第１の検出システムは検出信号制御システムへ検出信号を送信し、制御システムは第２のバルブ５２０を制御し開き濾過機器３０の駆動ポンプ３２０を作動させ、その結果、駆動ポンプ３２０は濾過するためにフィルター３１０を通してキャビネット本体１０内の冷媒８０を駆動し、このようにしてキャビネット本体１０内の冷媒８０は、自動的に濾過される。第１の検出システムがキャビネット本体１０内の冷媒８０の純度が設定値に達したのを検出すると、キャビネット本体１０内の冷媒８０の純度は要件を満たしていることが示され、そこで次に第１の検出システムは検出信号制御システムへ検出信号を送信し、制御システムは第２のバルブ５２０を制御して開き濾過機器３０の駆動ポンプ３２０を停止し、その結果、駆動ポンプ３２０はフィルター３１０を通してキャビネット本体１０内の冷媒８０を駆動するのを停止する。制御システムはまた第２のバルブ５２０を開くように制御し駆動ポンプ３２０を常に稼働状態になるように制御し、その結果、駆動ポンプ３２０は濾過するためにフィルター３１０を通してキャビネット本体１０内の冷媒８０を循環的に駆動させ、このようにしてキャビネット本体１０内の冷媒８０を常に濾過する。
【００６８】
任意の実装では、本開示の冷却装置１はキャビネット本体１０の上部に配置されたカバーおよび制御システムと通信状態にある第２の検出システムをさらに含む。第２の検出システムはカバーの状態（開／閉）を検出するように構成されている。第２の検出システムはカバーが閉状態であることを検出すると第１の検出信号を制御システムへ送信し、制御システムは濾過機器３０を制御して停止させる。第２の検出システムはカバーが開状態であることを検出すると第２の検出信号を制御システムへ送信し、制御システムは濾過機器３０をコントロールして稼働させる。換言すればキャビネット本体１０のカバーの状態（開くまたは閉じる）が濾過機器３０の稼働始動の条件として用いられる。通常の冷却および熱放散のためにキャビネット本体１０のカバーが閉じられると、濾過機器３０は稼働（始動）する。濾過機器３０はキャビネット本体１０のカバーが開いている時にのみ冷媒８０の濾過を開始し、これはエネルギー消費を低減することができる。
【００６９】
任意の実装では、補充機器２０の貯蔵タンク２１０は濾過機器３０の駆動ポンプ３２０と連通（結合）状態にある。濾過機器３０の駆動ポンプ３２０は貯蔵タンク２１０とキャビネット本体１０の間に冷媒８０を駆動するようにさらに構成され、すなわち濾過機器３０の駆動ポンプ３２０は貯蔵タンク２１０内の冷媒８０を駆動して、その結果、それはキャビネット本体１０内へ移動させることができるだけでなく、キャビネット本体１０内の冷媒８０を駆動して、その結果、それは貯蔵タンク２１０内へ移動させることもできる。キャビネット本体１０内の冷媒８０を補充する必要がある場合、貯蔵タンク２１０内の冷媒８０は駆動ポンプ３２０の駆動によりキャビネット本体１０内へ移動させることができる。キャビネット本体１０内へ移動させた冷媒８０が上限を超過する場合、またはキャビネット本体１０内の冷媒８０を空にする必要がある場合（例えば、移転の目的で）、キャビネット本体１０内の冷媒８０は駆動ポンプ３２０の駆動により貯蔵タンク２１０内へ移動させることができる。
【００７０】
さらに、本明細書の冷却装置１は貯蔵タンク２１０と駆動ポンプ３２０の間に配置された第３のバルブ５３０を含む。一つの実施形態では、第３のバルブ５３０は電磁バルブである。キャビネット本体１０内の冷媒８０の分量または嵩が第３の事前設定分量または嵩に達したのを検出するのに応答して、第１の分量計１１０は制御システムへ検出信号を送信し、制御システムは第３のバルブ５３０を制御して開き濾過機器３０の駆動ポンプ３２０を作動させ、その結果、駆動ポンプ３２０は貯蔵タンク２１０内へキャビネット本体１０内の冷媒８０を駆動し、過剰なキャビネット本体１０内の冷媒８０を貯蔵タンク２１０内へくみ上げ、このようにして過剰なキャビネット本体１０内の冷媒８０の溢流のリスクを回避する。キャビネット本体１０内の冷媒８０の分量が第３の事前設定分量または嵩に復元したのを検出するのに応答して、第１の分量計１１０は制御システムへ検出信号を送信し、制御システムは第３のバルブ５３０を制御して閉じ濾過機器３０の駆動ポンプ３２０を停止し、その結果、駆動ポンプ３２０は貯蔵タンク２１０内へキャビネット本体１０内の冷媒８０を駆動させるのを停止し、このようにしてキャビネット本体１０から冷媒８０をくみ上げるのを停止する。
【００７１】
キャビネット本体１０内の冷媒８０を空にする必要がある場合、第３のバルブ５３０は制御システムにより直接制御されて開き、濾過機器３０の駆動ポンプ３２０は作動し、その結果、駆動ポンプ３２０はキャビネット本体１０内の冷媒８０をキャビネット本体１０内の冷媒８０が完全にくみ上がるまで貯蔵タンク２１０内へ駆動させ、次いで、第３のバルブ５３０は制御システムによって閉じられ、駆動ポンプ３２０は停止する。濾過機器３０の駆動ポンプ３２０はキャビネット本体１０内の冷媒８０に対して統合排水操作を実施するために使用され、キャビネット本体１０から冷媒８０をポンプでくみ上げる追加の装置は必要とされない。
【００７２】
キャビネット本体１０内の冷媒８０の分量または嵩が第１の事前設定分量または嵩よりも少ないことを検出するのに応答して、第１の分量計１１０は制御システムへ検出信号を送信し、制御システムは第１のバルブ５１０を制御して開き、その結果、貯蔵タンク２１０とキャビネット本体１０は相互連通し、濾過機器３０の駆動ポンプ３２０は作動し、その結果、駆動ポンプ３２０は貯蔵タンク２１０内の冷媒８０をキャビネット本体１０内へ駆動させ、このように、キャビネット本体１０は自動的に補充される。キャビネット本体１０内の冷媒８０の分量または嵩が第３の事前設定分量または嵩に達したのを検出するのに応答して、第１の分量計１１０は制御システムへ検出信号を送信し、制御システムは第１のバルブ５１０を制御して閉じ、その結果、貯蔵タンク２１０とキャビネット本体１０は互いに対して閉じ、濾過機器３０の駆動ポンプ３２０は停止し、その結果、駆動ポンプ３２０は貯蔵タンク２１０内の冷媒８０をキャビネット本体１０内へ駆動させるのを停止し、このようにしてキャビネット本体１０内への冷媒の補充を停止する。ここでは第３の事前設定分量／嵩は第１の事前設定分量／嵩よりも多く、第１の事前設定分量／嵩はキャビネット本体１０内の冷媒８０の許容分量範囲の下限を示し、第３の事前設定分量／嵩はキャビネット本体１０内の冷媒８０の許容分量範囲の上限を示すことを意味している。
【００７３】
任意の実装では、本開示の冷却装置１は第１のバルブ５１０をさらに含む。第１のバルブ５１０は貯蔵タンク２１０とキャビネット本体１０の相互連通と相互閉鎖を切り替えるように構成され、制御システムは、濾過機器３０の駆動ポンプ３２０、第１の分量計１１０、および第１のバルブ５１０と通信状態にある。キャビネット本体１０内の冷媒８０の分量または嵩が第１の事前設定分量または嵩よりも少ないことを検出するのに応答して、第１の分量計１１０は制御システムへ検出信号を送信し、制御システムは第１のバルブ５１０を制御して開き、その結果、貯蔵タンク２１０とキャビネット本体１０は相互連通し、駆動機器は作動し、その結果、濾過機器３０の駆動ポンプ３２０は貯蔵タンク２１０内の冷媒８０をキャビネット本体１０内へ駆動させ、このように、キャビネット本体１０は自動的に補充される。キャビネット本体１０内の冷媒８０の分量または嵩が第１の事前設定分量または嵩に達したのを検出するのに応答して、第１の分量計１１０は制御システムへ検出信号を送信し、制御システムは第１のバルブ５１０を制御して閉じ、その結果、貯蔵タンク２１０とキャビネット本体１０は互いに対して閉じ、濾過機器３０の駆動ポンプ３２０は貯蔵タンク２１０内の冷媒８０をキャビネット本体１０内へ駆動させるのを停止し、このようにしてキャビネット本体１０への補充を停止する。制御システムは第１のバルブ５１０および濾過機器３０の駆動ポンプ３２０を制御して開閉し、したがって手動操作または関与の必要なくキャビネット本体１０に自動的に補充する、またはキャビネット本体１０の補充を停止するという目的を達成する。それによって冷却装置１の整備効率は向上し、データセンター内のサーバーの冷却装置１の冷却効率はさらに向上する。任意選択で第１のバルブ５１０は電磁バルブである。
【００７４】
任意の実装では、貯蔵タンク２１０はキャビネット本体１０の第１の分流開口部１０１と連通する第２の分流開口部２１１を有し、第１のバルブ５１０は第１の分流開口部１０１と第２の分流開口部２１１の間に配置され、または貯蔵タンク２１０内の第２の分流開口部２１１に対応する位置に配置され、第１の分流開口部１０１および第２の分流開口部２１１は導管を通して接続し得る。さらに貯蔵タンク２１０はキャビネット本体１０の上方に配置され、第２の分流開口部２１１は第１の分流開口部１０１の上方に設置され、その結果、貯蔵タンク２１０内の冷媒８０の液面はキャビネット本体１０内の冷媒８０の液面よりも高い。キャビネット本体１０内の冷媒８０を補充する必要がある場合、第１のバルブ５１０は開き、その結果、重力下で貯蔵タンク２１０内の冷媒８０はキャビネット本体１０内へ直接流れることができる。
【００７５】
任意の実装では、本開示の冷却装置１は熱交換機器４０をさらに含み、熱交換機器４０の一端部はキャビネット本体１０と連通（結合）状態にあり、熱交換機器４０の他端部は外部液体供給装置と連通（結合）状態にある。熱交換機器４０は冷媒８０を駆動してキャビネット本体１０を循環させ冷媒８０により熱交換をするように構成されている。熱交換機器４０は冷媒８０を駆動し冷却装置１のキャビネット本体１０内を循環させ被冷却機器９０から熱を取り除き、熱交換機器４０は外部液体供給装置により熱交換し、その結果、冷媒８０は再び低温状態に達し、冷却装置１のキャビネット本体１０内へ戻り循環し被冷却機器９０を冷却し、このようにして被冷却機器９０から熱を循環的および連続的に取り除くおよび排出する目的を達成する。
【００７６】
さらに、キャビネット本体１０は冷媒８０を導入（受給）するための分流入口１０２および冷媒８０を排出するための分流出口１０３をさらに有する。熱交換機器４０は熱交換器４１０および分流ポンプ４２０を含む。熱交換器４１０は第１の循環ループを通して冷却装置１の冷却本体１０と接続し第２の循環ループを通して外部液体供給装置と接続している。第１の循環ループは第１の導管４３０および第２の導管４４０を含み、第２の循環ループは第３の導管４５０および第４の導管４６０を含む。第１の導管４３０は冷却装置１のキャビネット本体１０の分流入口１０２と連通状態にあり、第２の導管４４０は冷却装置１のキャビネット本体１０の分流出口１０３と連通状態にあり、第３の導管４５０および第４の導管４６０は両方とも、外部液体供給装置と連通状態にある。任意選択で熱交換機器４０はさらに流量計４７０を含んでもよく、流量計４７０は分流ポンプ４２０とキャビネット本体１０の間に配置され、および冷媒８０の流量を検出するために使用され得る。分流ポンプ４２０の圧力は流量計４７０の検出結果に応じて調整され、冷媒８０の流量を調整する目的を達成し得る。第１の導管４３０および第２の導管４４０の各々は冷媒８０が熱交換機器４０内を循環する導管経路を開閉するためのバルブ４８０を有し得る。
【００７７】
本開示の冷却装置１が稼働すると、ポンプは冷媒８０を駆動し第１の循環ループを通してキャビネット本体１０内を循環させ、冷媒８０は冷却装置１のキャビネット本体１０内の循環を通して被冷却機器９０から熱を取り除き、熱交換機器４０の熱交換器４１０に入る。外部液体供給装置は第２の循環ループ内に循環的に冷却水を供給することができ、被冷却機器９０の熱を運ぶ冷媒８０は外部液体供給装置によって供給された冷却水によって熱交換器４１０内で熱交換し冷媒８０により運ばれた熱を放出し、その結果、冷媒８０は再び低温状態に達し得て、これは冷却装置１内へ戻り循環後、再び被冷却機器９０冷却し、このようにして被冷却機器９０の熱を循環的および連続的に排出する目的を達成することができる。
【００７８】
当業者は、本明細書を検討し本明細書に開示される本発明を実施した後、本開示の他の実装を思いつき得る。本開示は本開示のあらゆる変形、使用、または適合を網羅することを意図している。これらの修正、使用、または適合は本開示の一般原則に従い本開示に開示されていない技術分野における一般的な一般知識または従来の技術的手段を含む。本開示および実施形態は単なる例と見なされ本開示の真の範囲および精神は以下の特許請求の範囲によって示される。
【００７９】
用語「comprises（備える）」、「comprising（備えること）」、またはその任意の他の変形は一連の要素を含むプロセス、方法、物品、または装置がそれらの要素を含むだけでなく明示的に列挙されていない他の要素も含むように非排他的な包含を網羅することを意図し、またはプロセス、方法、製品、または装置の固有の要素もまた含まれる。さらに制限がない場合、「including a/an...（a/an...を含む）」という文で定義された要素はその要素を含むプロセス、方法、製品、または装置が他の同一の要素をさらに含むことを除外しない。
【００８０】
上述の実施形態は本開示の実施形態にすぎず、本開示を限定することを意図するものではない。本開示の精神および原理の範囲内で行われる変更、同等の置換、改良などは本開示の範囲に含まれるものとする。
【国際調査報告】
2021501950.tif 000006
2021501950.tif 000007
2021501950.tif 000008
2021501950.tif 000009
2021501950.tif 000010
2021501950.tif 000011